(57)【要約】【課題】従来のリニアーモーターカー技術は、電気中の熱抵抗電気だけを、取り除いた電気抵抗ゼロ電気配線を、考えて作る事が誰も出来なかった。【解決手段】通常コイルから高出力銅筒管コイル及び熱抵抗電気のみを、取り除く圧電素子4電子磁気分割装置と高出力電磁石及び、圧電素子磁石体粒子と軽水素トリチウム電子ガスを、使った回路配線などを、使った電気抵抗ゼロの電気の流れを、使った世界最速のリニアーモーターカーの著作権原本技術。【選択図】図1
2013094057.tif 000002
【特許請求の範囲】
【請求項１】
本発明の世界最速のリニアーモーターカーのコイル配線は、世界最速と言われている日本国の慶応大学の超電導配線のケイ素及びヨウ素などの、物質を使った超電導配線より、全く異なった考え方の電気と似た物質の軽水素トリチウム電子気化ガスと圧電素子磁石体粒子を、混合合成した電子の集合体の軽水素トリチウム電子と電子を発生させる事の出来る圧電素子磁石体粒子を混合合成させた電子の集合体配線は、通常の銅コイル配線より電気の通りが良くて、慶応大学の超電導配線より、電気の通りが、スムーズムな別名の高出力銅筒官コイル配線を、積載内蔵した国の全額借金返済と都道府県市町村区の全額借金返済の為の世界最速の超電導リニアーモーターカー著作権原本を基本にしたリニアーモーターカーの新技術。
2011年8月28日pm21時18分眠いので寝る千葉県の墫野和夫で有る。
2011年10月19日am9時14分連休の為、朝から書き始める千葉県の墫野和夫で有る。
【請求項２】
本発明の、世界最速のリニアーモーターカーの電磁石のコイル板は、 実用新案登録第3168043号の高出力発電7連結以上モーターの高出力電磁石技術を、採用した高出力銅筒官コイル配線の軽水素トリチウム電子入り圧電素子磁石体粒子内蔵のコイル配線と軽水素トリチウム電子入りの圧電素子磁石体シートとチタン酸バリウムに軽水素トリチウム電子を、たっぷり容れれるだけ入れた軽水素チタン酸バリウム複数針穴空きシートの二つの軽水素の入った圧電素子磁石体シートを、交互に貼りあわせたのが、別名の高出力圧電素子磁石体に成り、高出力圧電素子磁石体に、超薄複数の針穴構造の、ステンレス永久磁石薄板を、高出力圧電素子磁石体板に包む様に被せる事で、高出力圧電素子磁石体の崩壊と振動による高出力圧電素子磁石体の滑落及び亀裂崩壊を、防ぐ為の、超薄複数針穴形状のステンレス板に成り、超薄複数針穴形状のステンレス板を、高出力圧電素子磁石板に被せる事で、磁界線磁気が、直接に複数針穴を通って、中の高出力圧電素子磁石体に磁気が、伝わる様にした構造に成り、高出力銅筒官コイル配線を、巻く事によって、電気スピードと同じ速さの電磁石板が、成立した高出力電磁石板を積載内蔵した国の全額借金返済と都道府県市町村区の全額借金返済の為の世界最速の超電導リニアーモーターカー著作権原本を基本にした請求項1記載のリニアーモーターカーの新技術。
【請求項３】
本発明の、世界最速のリニアーモーターカーの電磁石のコイル板は、不正競争防止法の対策と技術盗作防止対策と似た電磁石板構造の不正技術防止対策の為、別の電磁石板の銅筒官コイルの筒官形状の中に、金属の中で、最も電気の通り易い金属のレアーアース金属を、銅筒官コイルの銅筒官の中にレアーアース金属を、入れた金属の中で一番電気の通り易い、コイル金属に成り、コイル板に、複数針穴形状のレアーアース金属超薄板と超薄鋼鉄磁石板を、交互に貼りあわせた電磁石板の軽量化目的と電磁石板の電気の通りを良くする為に、レアーアース金属を使用した電磁石板に成り、レアーアース金属を、銅筒官コイル板に入れた銅筒官レアーアースコイルを、レアーアース電磁石板に巻く事によって、電気の通りが、レアーアース金属の電気の流れスピードまでを、可能にした不正競争防止法対策のレアーアース電磁石板を、積載内蔵した国の全額借金返済と都道府県市町村区の全額借金返済の為の世界最速の超電導リニアーモーターカー著作権原本を基本にした請求項1記載のリニアーモーターカーの新技術。
【請求項４】
本発明の、世界最速のリニアーモーターカーの電磁石のコイル板は、不正競争防止法の対策と技術盗作防止対策と似た電磁石板構造の不正技術防止対策の為、コイル配線は、銅筒官の中に超電導配線の上に、レアーアース金属を、コーテングした配線を、銅筒官コイルに内蔵した銅筒官超電導レアーアースコイル配線とレアーアースの電磁石板の幅の超薄板と水素の入った圧電素子磁石板と鉛と鉄を合成した超薄板合金の三種類の金属を、貼りあわせてＳ形状に折り曲げて、高圧縮した電磁石板に、銅筒官超電導レアーアースコイル配線を、巻いた電磁石板を、積載内蔵した国の全額借金返済と都道府県市町村区の全額借金返済の為の世界最速の超電導リニアーモーターカー著作権原本を基本にした請求項1記載のリニアーモーターカーの新技術。
【請求項５】
本発明の、世界最速のリニアーモーターカーのスピードを、速くする為の装置に対して電気スピードを速くする為に、電気中の熱抵抗電気を取り除く装置として、実用新案登録第3168043号の圧電素子4電子磁気分割装置として、プラス電気の熱抵抗電気を取り除く装置として、プラス圧電素子4電子磁気分割装置に成り、熱抵抗電気の入ったプラス電気は、プラス圧電素子4電子磁気分割装置のプラス磁気の一番弱い部分の、圧電素子4電子磁気分割装置の、圧電素子プラス中間陽電子磁気部分の、プラス磁気の弱い部分に超薄複数針穴形状の通常プラス電気取り込み高出力銅筒官コイル配線と熱抵抗プラス磁気電気のリサイクル電気回収配線に成り、熱抵抗の無いプラス陽電子磁気電気は、プラス圧電素子磁石体の磁気の一番強い部分に取り付けられている電気抵抗無しのプラス陽電子磁気電気取り込み高出力銅筒官配線によって、プラス熱抵抗電気は、圧電素子磁石体のプラス磁気に通す事で、プラス電気を、瞬間にプラス磁気電気変換してから、プラス熱抵抗磁気電気のみを取り除く世界初の圧電素子4電子磁気分割装置に成り、熱抵抗電気の入ったマイナス電気は、マイナス圧電素子4電子磁気分割装置のマイナス磁気の一番弱い部分の、圧電素子4電子磁気分割装置の、圧電素子マイナス中間陰電子磁気部分の、マイナス磁気の弱い部分に超薄複数針穴形状の通常マイナス電気取り込み高出力銅筒官コイル配線と熱抵抗マイナス磁気電気のリサイクル電気回収配線に成り、熱抵抗の無いマイナス陰電子磁気電気は、マイナス圧電素子磁石体の磁気の一番強い部分に取り付けられている電気抵抗無しのマイナス陰電子磁気電気取り込み高出力銅筒官配線によって、マイナス熱抵抗電気は、圧電素子磁石体のプラス磁気に通す事で、マイナス電気を、瞬間にマイナス磁気電気変換してから、マイナス熱抵抗磁気電気のみを取り除く世界初の圧電素子4電子磁気分割装置に成り、二つのプラスとマイナスの圧電素子4電子磁気分割装置を積載内蔵した国の全額借金返済と都道府県市町村区の全額借金返済の為の世界最速の超電導リニアーモーターカー著作権原本を基本にした請求項1記載のリニアーモーターカーの新技術。
【請求項６】
本発明の、世界最速のリニアーモーターカーのスピードを、速くする為の装置に対して電気スピードを速くする為のリニアーモーターカー配線は、高出力銅筒官配線の銅筒官コイル配線の筒状の銅官配線の中に、軽水素トリチウム電子入り圧電素子磁石体粒子配線を、銅筒官の電気配線に内蔵した銅筒官配線に、超軽量物質の雑草灰及び木材灰及び生ごみ灰などと、プラスチック溶液とゴム溶液を混合合成した超軽量の灰入りプラスチックゴム電気配線表皮を、被せた超軽量の銅筒官コイル配線に電気配線の表皮を被せた電気配線を、別名高出力銅筒官配線とした電気の通り易い高出力銅筒官コイル配線を、積載内蔵した国の全額借金返済と都道府県市町村区の全額借金返済の為の世界最速の超電導リニアーモーターカー著作権原本を基本にした請求項1記載のリニアーモーターカーの新技術。
【請求項７】
本発明の、世界最速のリニアーモーターカーのスピードを速くする為の、高出力インバータサイリスタ装置は、4層サイリスタ装置の構造の内の、高出力Ｎ型シリコンは、通常のＮ型シリコンシートと通常のＮ型シリコンに、窒素ガスと軽水素トリチウム電子を、Ｎ型シリコン内に混合合成した冷却物質と軽水素トリチウム電子を、多く入れて混合合成した複数針穴形状の、Ｎ型シリコンシートを、交互に貼りあわせたのが、電気の流れが、速く成る高出力冷却Ｎ型ヒ素シリコンに成り、高出力Ｐ型シリコンは、通常のＰ型シリコンシートと通常のＰ型シリコンに、窒素ガスと軽水素トリチウム電子を、Ｐ型シリコン内に混合合成した冷却物質と軽水素トリチウム電子を、多く入れて混合合成した複数針穴形状の、Ｐ型シリコンシートを、交互に貼りあわせたのが、電気の流れが、速く成る高出力冷却Ｐ型インジウムシリコンに成り、高出力Ｎ型シリコンと高出力Ｐ型シリコンを交互に貼りあわせた4層サイリスタの事を、高出力冷却材入りサイリスタ略名として、高出力冷却サイリスタに成り、リニアーモーターカーの電磁石磁極切り替え装置に、高出力冷却サイリスタを積載内蔵した国の全額借金返済と都道府県市町村区の全額借金返済の為の世界最速の超電導リニアーモーターカー著作権原本を基本にした請求項1記載のリニアーモーターカーの新技術。
【請求項８】
本発明の、世界最速のリニアーモーターカーのスピードを速くする為の、リニアーモーターカー本体に積載する高出力水発電機は、通常の水と異なる水素中の重水素プルトニウムを取り除いた軽水素トリチウム電子と酸素合成の軽水素酸素水を、別名循環燃料電池発電機の発電物質の水として、積載内蔵した国の全額借金返済と都道府県市町村区の全額借金返済の為の世界最速の超電導リニアーモーターカー著作権原本を基本にした請求項1記載のリニアーモーターカーの新技術。
【請求項９】
本発明の、世界最速のリニアーモーターカーのスピードを速くする為の、リニアーモーターカー本体に積載する高出力水発電機に積載する配管は、熱水の瞬間熱吸収発電出来る軽水素トリチウム電子入り圧電素子磁石体粒子内蔵シリコン熱瞬間吸収発電パネルに、発電電気の取り込み配線の高出力銅筒官配線と配管の絶縁体として、木材灰入りの、塩化プラスチック絶縁体を被せた発電官を、スクリュー状にした熱瞬間吸収発電官を高出力水発電機別名の、高出力循環燃料電池発電機の循環水の熱瞬間吸収発電官を、積載内蔵した構造の高出力水発電機を積載内蔵した国の全額借金返済と都道府県市町村区の全額借金返済の為の世界最速の超電導リニアーモーターカー著作権原本を基本にした請求項1記載のリニアーモーターカーの新技術。
【請求項１０】
本発明の、世界最速のリニアーモーターカーのスピードを速くする為の、リニアーモーターカー本体に積載する高出力水発電機に積載する高出力水中モーターは、モーターコイル配線に、高出力銅筒官コイル配線とコイル板に、鋼鉄板の中央部分を刳り貫いた鋼鉄磁石板の中央部分に、はめ込む為の軽水素トリチウム電子入り圧電素子磁石板シートパネルと軽水素トリチウム電子入りのチタン酸バリウムシートパネルを、交互に貼りあわせた高出力圧電素子磁石体パネルを、鋼鉄枠にはめ込んで、複数針穴形状の超薄板のステンレス板を、高出力圧電磁石体パネルの鋼鉄枠を、包み込む様に被せたコイル板に、高出力銅筒官コイル配線を、巻いた水中ポンプを、高出力水中ポンプに成り、超軽量の高出力水中ポンプを積載した構造の高出力水発電機を積載内蔵した国の全額借金返済と都道府県市町村区の全額借金返済の為の世界最速の超電導リニアーモーターカー著作権原本を基本にした請求項1記載のリニアーモーターカーの新技術。
【請求項１１】
本発明の、世界最速のリニアーモーターカーのスピードを速くする為の、リニアーモーターカー本体に積載する高出力水発電機に積載する高出力電動モーター仕切り弁装置は、水道仕切り弁の仕切り弁軸に、モーターコイル配線に、高出力銅筒官コイル配線とコイル板に、鋼鉄板の中央部分を刳り貫いた鋼鉄磁石板の中央部分に、はめ込む為の、軽水素トリチウム電子入り圧電素子磁石板シートパネルと軽水素トリチウム電子入りのチタン酸バリウムシートパネルを、交互に貼りあわせた高出力圧電素子磁石体パネルを、鋼鉄枠にはめ込んで、複数針穴形状の超薄板のステンレス板を、高出力圧電磁石体パネルの鋼鉄枠を、包み込む様に被せたコイル板に、高出力銅筒官コイル配線を、巻いた高出力モーターを、水道仕切り弁軸に取り付けた高出力モーターを取り付けた高出力電動モーター仕切り弁を積載した構造の高出力水発電機を積載内蔵した国の全額借金返済と都道府県市町村区の全額借金返済の為の世界最速の超電導リニアーモーターカー著作権原本を基本にした請求項1記載のリニアーモーターカーの新技術。
【請求項１２】
本発明の、世界最速のリニアーモーターカーのスピードを速くする為の、リニアーモーターカー本体に積載する高出力水発電機に積載する高出力真空装置は、高出力モーターと高出力電動仕切り弁と高出力銅筒官電気配線を、真空装置の構造にした高出力真空装置を、積載した構造の高出力水発電機を積載内蔵した国の全額借金返済と都道府県市町村区の全額借金返済の為の世界最速の超電導リニアーモーターカー著作権原本を基本にした請求項1記載のリニアーモーターカーの新技術。
【請求項１３】
本発明の、世界最速のリニアーモーターカーのスピードを速くする為の、リニアーモーターカー本体に積載する高出力水発電機に積載する高出力燃料電池発電装置は、液体マグネシウムを、内蔵する枠装置として、複数針穴形状の、圧電素子磁石体パネルます枠に成り、圧電素子マス枠受け板として複数小穴形状のアルミニウム板形状に成り、燃料電池の液体マグネシウムは、圧電素子磁気電気の瞬間磁気分割効果によって液体マグネシウムの軽水素と酸素の瞬間吸収発電時の無駄な熱放出を避けて、無駄なく磁気電気変換出来る様にした複数針穴形状の圧電素子磁石体の循環発電型の水発電機別名循環燃料電池を積載内蔵した国の全額借金返済と都道府県市町村区の全額借金返済の為の世界最速の超電導リニアーモーターカー著作権原本を基本にした請求項1記載のリニアーモーターカーの新技術。
【請求項１４】
本発明の、世界最速のリニアーモーターカーのスピードを速くする為の、リニアーモーターカー本体に積載する高出力水発電機に積載する高出力燃料電池発電装置を作動させる為の、実用新案登録第3168043号の高出力発電回路を2連振り子型機械式発電機に内蔵した軽水素ニッケル充電池の蓄電電気を、高出力発電回路によって、電気を増幅出来る発電回路と高出力ダイナモの振り子往復運動と大型ゼンマイの歯車全自動作動によって、高出力ダイナモ作動発電電気量と高出力発電回路発電電気量を、圧電素子4電子磁気分割装置によって、軽水素ニッケル充電池の急速充電を可能にした循環発電型の新2連振り子型機械式を高出力循環型燃料電池の循環発電装置を積載内蔵した国の全額借金返済と都道府県市町村区の全額借金返済の為の世界最速の超電導リニアーモーターカー著作権原本を基本にした請求項1記載のリニアーモーターカーの新技術。
【請求項１５】
本発明の、世界最速のリニアーモーターカーの、外部のリニアーモーターカー線路内で、停止した場合の、緊急脱出装置は、プロペラを、リニアーモーターカーに取り付けた構造で有り、後部に推進用プロペラを取り付けたモーターは、アルミニウム網枠に、木材灰入りプラスチックを被せた超軽量モーター枠に、高出力圧電素子磁石体に、複数針穴形状の超薄ステンレス板を被せた人工合成永久磁石と高出力電磁石を、積載使用した超軽量の高出力モーターの実用新案登録第3168043号記載の高出力モーターとプロペラの緊急脱出装置を積載内蔵した国の全額借金返済と都道府県市町村区の全額借金返済の為の世界最速の超電導リニアーモーターカー著作権原本を基本にした請求項1記載のリニアーモーターカーの新技術。
【請求項１６】
本発明の、世界最速のリニアーモーターカーの、リニアーデーター連絡装置は、高速送受信装置に、高出力コイルと高出力銅筒官コイルと高出力電磁石と高出力熱瞬間吸収発電コンデンサーと高出力サイリスタと高出力ＦＥＴと高出力ＮＰＮトランジスタと高出力ＰＮＰトランジスタと高出力ＰＮ接合ダイオードと高出力Ｎ型半導体と高出力Ｐ型半導体と木材灰入りプラスチック官の外側は、圧電素子磁石体と軽水素とプラスチックスクリュー電波送受信装置によって、高速電波を、複数の電波受信局へ送信出来る高出力装置を内蔵した高速電波送受信装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項１７】
本発明の、世界最速のリニアーモーターカーの、リニアーモーターカーの弱衝撃吸収装置は、鉛アルミニウム薄板網に木材灰入り樹脂板と鉛銅薄板網に雑草灰入り樹脂板と鉛鉄薄板網に生ごみ灰入り樹脂板と木材灰入り樹脂板構造の個人手相形状認識のロッカーによって、衝撃を分散出来るリニアーモーターカーの先頭部分の衝撃吸収装置をリニアーモーターカーの先頭部分に積載内蔵した国の全額借金返済と都道府県市町村区の全額借金返済の為の世界最速の超電導リニアーモーターカー著作権原本を基本にした請求項1記載のリニアーモーターカーの新技術。
【請求項１８】
本発明の、世界最速のリニアーモーターカーの、リニアーモーターカーの位置確認装置として、リニアーモーターカーの衛星ＧＰＳと山岳ヘリコプター位置確認装置とトンネル内のスクリュー電波遮断位置確認装置とトンネル内複数ライトカメラ距離連絡装置によって、リニアーモーターカーの位置を、複数の山岳ヘリコプターの空中の固定位置によって、線路上のリニアーモーターカーの位置を電波距離の複数位置と山岳ヘリコプター積載内蔵の超望遠ライトカメラのカメラの形状位置確認によって全自動連絡を、行ないリニアーモーターカー積載の衛星ＧＰＳナビゲイションシステムの複数の衛星ＧＰＳ位置のリニアーモーターカーの位置確認装置とトンネル内のライトカメラ位置確認装置によって、高速走行のリニアーモーターカー位置を、全自動確認出来るリニアーモーターカー全自動位置確認映写出来るリニアーモーターカー全自動位置確認電波送受信装置を、積載内蔵した国の全額金返済と都道府県市町村区の全額借金返済の為の世界最速の超電導リニアーモーターカー著作権原本を基本にした請求項1記載のリニアーモーターカーの新技術。
【請求項１９】
本発明の、世界最速のリニアーモーターカーの、本体部分の枠板は、穴空き銅アルミニウム合金網枠と穴空きジュラルミン金属網板に、木材灰入りの樹脂パネルをリニアーモーターカーの本体パネルとする事で、磁気化しないパネルによって、リニアーモーターカーの制御装置の磁気化を防いだパネル装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項２０】
本発明の、世界最速のリニアーモーターカーの、全面部分の両面割れ防止の、液体プラスチック溶液シート内蔵クリスタルガラスは、グラスファイバー網を貼り付ける事によって、一度に割れて飛散しない工夫をした半円球ガラスを、三か所取り付ける構造の装置に成り、全自動ラストカメラとカメラ距離確認の為のカラーライトライン装置などが設置される場所にする為に、この様な半円球クリスタルガラス板構造に成り、この他、プラスチック半円球板を取り付けた装置に成り、ガラスの一部に圧電素子磁石体シートのアンテナ装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項２１】
本発明の、世界最速のリニアーモーターカーの、本体に取り付ける超軽量の、高出力薄板インバータ2連電磁石は、軽水素トリチウム電子入り圧電素子磁石体粒子入り高出力銅筒官コイル配線にアルミニウム細枠に、軽水素トリチウム電子入りの圧電素子磁石体シートと軽水素トリチウム電子入りチタン酸バリウムシートを、交互に貼りあわせた高出力圧電素子磁石体パネルに、複数針穴形状の超薄ステンレス板を、アルミニウム細枠にはめ込み溶着した人工合成永久磁石別名高出力圧電素子人工合成永久磁石体に、高出力銅筒官コイルを巻いた電磁石板に二枚の複数針穴形状のステンレスシートの間に軽水素トリチウム電子入りチタン酸バリウム圧電素子磁石体粒子内蔵シートを挟み込んだ複数針穴形状のステンレス板を電磁石コイルの防水腐食を防ぐ装置に成り、さらに軽水素チタン酸バリウム圧電素子磁石体粒子入りシリコンプラスチック磁気パネ等を、電磁石コイルカバーによって、コイル腐食を防いだ装置を積載内蔵した国の全額借金返済と都道府県市町村区の全額借金返済の為の世界最速の超電導リニアーモーターカー著作権原本を基本にした請求項1記載のリニアーモーターカーの新技術。
【請求項２２】
本発明の、世界最速のリニアーモーターカーのドアは、浸水しても、室内に水が入らないリニアーモーターカーの列車扉構造にする為に、高出力電動四角形状モーター仕切り弁ドアは、高出力ＤＣブラシレスレールインバータモーターによって、高出力電動モーター仕切り弁のドアの開閉スピードを、ミリ単位で、調整出来る高出力電動四角形状モーター仕切り弁ドア装置を、積載内蔵した国の全額借金返済と都道府県市町村区の全額借金返済の為の世界最速の超電導リニアーモーターカー著作権原本を基本にした請求項1記載のリニアーモーターカーの新技術。
2011年10月19日pm20時51分寝る時間なのでペンを置く千葉県の墫野和夫で有る。
2011年9月21日pm19時01分雨天休の為、少しだけ書く事にする千葉県の墫野和夫で有る。
【請求項２３】
本発明の、世界最速のリニアーモーターカーの発光夜光カラーライトライン装置は、リニアーモーターカー等の列車のカメラとカメラ焦点物体距離間の正確な距離を、計測する為の、通常のカラープラスチック透視パネルに、複数点状に夜光塗料を、カラープラスチック透視パネルに発光複数夜光カラーライトライン構造のカラー塗料パネルと軽水素トリチウム電子入りの発光ＬＥＤダイオードライト玉の増幅ＬＥＤライト光によって、リニアーモーターカーのカメラとカメラ焦点距離内の物体とリニアーモーターの正確な距離を計測する為の、発光複数夜光カラーライトライン装置を積載内蔵した国の全額借金返済と都道府県市町村区の全額借金返済の為の世界最速の超電導リニアーモーターカー著作権原本を基本にした請求項1記載のリニアーモーターカーの新技術。 
【請求項２４】
本発明の、世界最速のリニアーモーターカーの前後左右上下カメラは、多機能モーターカメラパネル全自動スイッチ切り替え型の、アルファー放射線透明プラスチック溶液シート内臓のクリス他路ガラス筒パネル放射線飛散防止パネル付きのサモーライトカメラと、ガンマー放射線透明プラスチック透明鉛溶液シート内臓のクリス他路ガラス筒パネル放射線飛散防止パネル付きのレントゲンライトカメラと赤外線パネルの赤色塗料混合合成のプラスチックガラス赤外線パネルの赤外線カメラと青色塗料混合合成のプラスチックガラス紫外線パネルの紫外線カメラと通常望遠カメラのカメラモーターパネル切り替え装置を、積載内蔵した国の全額借金返済と都道府県市町村区の全額借金返済の為の世界最速の超電導リニアーモーターカー著作権原本を基本にした請求項1記載のリニアーモーターカーの新技術。 
【請求項２５】
本発明の、世界最速のリニアーモーターカーの先頭上部に有る風切羽は、リニアーモーターカーの空気抵抗安定を保つ為の、リニアーモーターカーのモーター風切羽装置を、積載した国の全額借金返済と都道府県市町村区の全額借金返済の為の世界最速の超電導リニアーモーターカー著作権原本を基本にした請求項1記載のリニアーモーターカーの新技術。
2011年9月21日pm21時54分寝る時間なので眠る千葉県の墫野和夫で有る。 
2011年9月22日pm19時52分寝る時間まで少し書く事にする千葉県の墫野和夫で有る。
【請求項２６】
本発明の、世界最速のリニアーモーターカーのサーチライトは、一般ライトは、全面一帯を照らすライトに対して、サーチライトでは、全面ライトの上は、一切照らさない様にする為に、光反射板を、ビロード状にする事によって、光反射角度を、前方にする為の複数波反射板を、ライト反射板の上部に取り付ける構造と超小型複数魚眼レンズを、複数波反射板に列状に貼りつけた光を、極力前面に、反射出来る構造にした光を、全面と全面下方部を、集中的に照らす事の出来るサーチライトを、積載内蔵した国の全額借金返済と都道府県市町村区の全額借金返済の為の世界最速の超電導リニアーモーターカー著作権原本を基本にした請求項1記載のリニアーモーターカーの新技術。
【請求項２７】
本発明の、世界最速のリニアーモーターカーのスクリュー風止め尾は、球形立体にする事で、スクリュー風を、リニアーモーターカーの後部部分に当てる事によって、リニアーモーターカーの推進風抵抗を、減らして、推進力の補助を、行うに当たって、リニアーモーターカートンネル内の風圧力は、スクリュー風官によって、地中を、巡って、リニアーモーターカーの後部に当たるスイッチタイミングのリニアーモーターカーのスクリュー風の追尾走行を、可能にしたリニアーモーターカーの、スクリュー風循環システムのスクリュー風当てシステム装置積載内蔵した国の全額借金返済と都道府県市町村区の全額借金返済の為の世界最速の超電導リニアーモーターカー著作権原本を基本にした請求項1記載のリニアーモーターカーの新技術。
【請求項２８】
本発明の、世界最速のリニアーモーターカーの、スクリュー風受け回転プロペラは、高出力ダイナモを、回転させる為の、スクリュー風風受け回転プロペラに成り、リニアーモーターカーのトンネル内では、必ず発生する風に成り、スクリュー官内に取り消せられているスクリュー官内風車スクリュー官板も、同時にスクリュー官内に設置されている高出力ダイナモを、発電させる事によって、リニアーモーターカーの省電気シテム装置に成り、トンネル風を、使用した風エネルギー高出力発電装置を、積載内蔵した国の全額借金返済と都道府県市町村区の全額借金返済の為の世界最速の超電導リニアーモーターカー著作権原本を基本にした請求項1記載のリニアーモーターカーの新技術。
2011年9月22日pm21時46分寝る時間なので、眠る千葉県の墫野和夫で有る。
2011年9月24日am9時58分休日の為、少しだけ書く事にする千葉県の墫野和夫で有る。
【請求項２９】
本発明の、世界最速のリニアーモーターカーの収納型後方プロペラは、非常時、リニアーモーターカー線路内で、立ち往生した場合、本体の上部のプロペラと、後部の収納型後方プロペラによって、浮上して、線路内の上空を、経て、目的地へ移動できるシステムに成り、後方プロペラのモーターは、高出力ＤＣブラシレスインバータ制御レールモーターを積載内蔵したプロペラ未使用の時は、電磁石吸着モーターロックが出来るプロペラモーター成り、プロペラモーターカバー自体が高出力レールモーター移動する構造の装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項３０】
本発明の、世界最速のリニアーモーターカーのレンズライトは、望遠鏡を、逆さまにした装置にライトを取り付けた構造に対して、光誘導カバーを、掛けた複数ライト装置に成り、望遠鏡の凸レンズと大レンズレンズの間の空間の壁に、複数のライトを、内蔵した光を、遠くまで、飛ばす事の出来るライト装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項３１】
本発明の、世界最速のリニアーモーターカーの二階へ移動するエレベーター装置は、二本の高出力インバータ制御レールモーターの二本の金属柱に取り付け内蔵に成って入る高出力電磁石と人工合成永久磁石の高出力圧電素子磁石体を、使用積載内蔵した電磁石移動エレベーター装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項３２】
本発明の、世界最速のリニアーモーターカーのスクリューエアーカーテンは、超小型高出力スクリュー風コンプレッサーの複数スクリュー配管のスクリューエアー壁によって、外気遮断を、図る事によって、リニアーモーターカーの室内の冷暖房風を、外気に排出させない構造によって、リニアーモーターカー内の安定した快適空間を、維持出来るリニアーモーターカーのスクリューエアーカーテンシステム積載内蔵した国の全額借金返済と都道府県市町村区の全額借金返済の為の世界最速の超電導リニアーモーターカー著作権原本を基本にした請求項1記載のリニアーモーターカーの新技術。
【請求項３３】
本発明の、世界最速のリニアーモーターカーのトイレ装置は、高出力真空装置を、使用した排泄物を、瞬間に、遠心分離真空気化させて、水分を、酸素と水素とアンモニアに全自動で、分けて、酸素と水素は、再び水として、リサイクルトイレ使用水として、再利用出来るトイレシステムを、積載内蔵した国の全額借金返済と都道府県市町村区の全額借金返済の為の世界最速の超電導リニアーモーターカー著作権原本を基本にした請求項1記載のリニアーモーターカーの新技術。
2011年9月24日am11時58分昼食の時間の為、少休憩をする千葉県の墫野和夫で有る。
2011年9月25日am8時28分書き始める千葉県の墫野和夫で有る。
【請求項３４】
本発明の、世界最速のリニアーモーターカーの、椅子の腰エアー袋エアー調整装置の三重エアー袋は、一度にエアー抜けが、発生しない様に通常のゴムエアー袋を、三重にして、エアー取り入れ口を、三か所設けた装置に成り、液体シリコンが、少量入った三重エアー袋を、リニアーモーターカーの、椅子の衝撃吸収装置として設置内蔵した国の全額借金返済と都道府県市町村区の全額借金返済の為の世界最速の超電導リニアーモーターカー著作権原本を基本にした請求項1記載のリニアーモーターカーの新技術。
【請求項３５】
本発明の、世界最速のリニアーモーターカーの、取り付け取り外し型の汗吸収シートの綿布シートとテトロン布シートとプラスチック布シートとゴム布シートを交互に貼りあわせた汗吸収シートを、リニアーモーターカーの椅子装置に積載内蔵した国の全額借金返済と都道府県市町村区の全額借金返済の為の世界最速の超電導リニアーモーターカー著作権原本を基本にした請求項1記載のリニアーモーターカーの新技術。
【請求項３６】
本発明の、世界最速のリニアーモーターカーの液晶発電パネルは、液晶回路に取り付けられている複数の高出力発電回路と軽水素アルゴンガス入り液晶パネルと高出力超ＬＳＩと高出力サイリスタと高出力ＦＥＴと高出力ＰＮＰトランジスタと高出力ＮＰＮトランジスタと高出力ＰＮ接合ダイオードと高出力Ｐ型半導体と高出力Ｎ型半導体の回路全体に軽水素トリチウム電子を、大量に内蔵した世界最新技術の映像回路のそれぞれの高出力回路によって、映像装置の使用電気量を、最大限少なく出来る装置を積載内蔵した国の全額借金返済と都道府県市町村区の全額借金返済の為の世界最速の超電導リニアーモーターカー著作権原本を基本にした請求項1記載のリニアーモーターカーの新技術。
【請求項３７】
本発明の、世界最速のリニアーモーターカーの、浮上用と走行補助用の高出力インバータ電磁石は、高出力銅筒官コイルと高出力圧電素子磁石体と高出力人工合成圧電素子永久磁石を、組み合わせた軽水素トリチウム電子と圧電素子磁石体粒子を、内蔵した超軽量の高出力電磁石を、リニアーモーターカーの、高出力電磁石構造として、高出力インバータ制御装置の固形窒素ガス入りの高出力サイリスタなどを、リニアーモーターカーの浮上用と走行補助用の高出力インバータ電磁石装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項３８】
本発明の、世界最速のリニアーモーターカーの水路は、緊急停止時のクッション用タイヤの両サイドの走行装置不時着タイヤ位置に成り、交換用タイヤは、非常時以外使用しない構造に成っており、通常は、リニアーモーターカーの一部分は、木材灰入りグラスファイバーゴムシートが、取り付けられて入る為、停止時の振動防止対策としての、振動吸収ゴム構造に成って入る装置等を、積載内蔵した国の全額借金返済と都道府県市町村区の全額借金返済の為の世界最速の超電導リニアーモーターカー著作権原本を基本にした請求項1記載のリニアーモーターカーの新技術。
【請求項３９】
本発明の、世界最速のリニアーモーターカーの、両サイドのサイド高出力インバータ制御レールモーターは、高出力銅筒官コイルと高出力圧電素子磁石体と高出力人工合成圧電素子永久磁石を、組み合わせた軽水素トリチウム電子と圧電素子磁石体粒子を、内蔵した超軽量の高出力電磁石を、両サイドに縦に、二連構造の複数の高出力電磁石と石の粒子入りグラスファイバー絶縁体パネルを、交互に取り付けた高出力電磁石配列構造の装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項４０】
本発明の、世界最速のリニアーモーターカーの緊急ブレーキは、リニアーモーターカー駅構内手前に設けられたリニアーモーターカーの減速範囲場所は、リニアーモーターカーの本線中より、リニアーモーターカーの車体部分が、水中部分に成る様に、リニアーモーターカー線路を、ダウンリニアーモーターカ線路場所を、少し下方修正してから、リニアーモーターカー線路内を500メートル範囲内を、5メートル程下げた場所に、大型複数スクリュー官と大型高出力7連結以上水中ポンプを、複数台使用して、高速給水する事によって、時速600キロメートル以上のスピードを水圧で止める事の出来る緊急非ブレーキシステムのリニアーモーターカー線路のプール線路システムを積載内蔵した国の全額借金返済と都道府県市町村区の全額借金返済の為の世界最速の超電導リニアーモーターカー著作権原本を基本にした請求項1記載のリニアーモーターカーの新技術。
【請求項４１】
本発明の、世界最速のリニアーモーターカーの緊急ブレーキに、必要とする給水タンクは、鋼鉄鉄筋と鋼鉄鉄筋取り付け用金具と固形窒素入りグラスファイバーコンクリート劣化防止型枠構造の水タンクに、数十台の大型高出力7連結以上水中ポンプと複数の大型スクリュー官を積載内蔵したリニアーモーターカーの緊急ブレーキに使用する数十秒で、リニアーモーターカー線路プールに水を、満水出来る超高速水中ポンプ給水システムと複数のスクリュー水中エアーブレーキシステムを積載内蔵した万が一のリニアーモーターカーの緊急非常時の、ブレーキシステムを、積載内蔵した国の全額借金返済と都道府県市町村区の全額借金返済の為の世界最速の超電導リニアーモーターカー著作権原本を基本にした請求項1記載のリニアーモーターカーの新技術。
【請求項４２】
本発明の、世界最速のリニアーモーターカーの、緊急ブレーキに、必要とする排水用大型スクリュー官に積載内蔵する高出力電動モーター水仕切り弁は、高出力銅筒官コイル配線と高出力圧電素子を使用した高出力電磁石等を使用した高出力ＤＣブラシレスインバータ制御レールモーターを、使用積載した高出力電動モーター水仕切り弁を、積載内蔵した国の全額借金返済と都道府県市町村区の全額借金返済の為の世界最速の超電導リニアーモーターカー著作権原本を基本にした請求項1記載のリニアーモーターカーの新技術。
【請求項４３】
本発明の、世界最速のリニアーモーターカーの、コンクリート劣化滑落防止装置は、固形窒素内蔵のグラスファイバーパネルに成り、365日24時間の無休憩で、コンクリートを、真空冷却する為、コンクリートが、外気に触れない状態と冷却状態にする事で、コンクリートの劣化を、送らせて火災防止として、アルミニウムコンクリート劣化滑落防止機関を、設ける事で、火によるグラスファイバー燃焼を、食い止める対策をしたパネルを積載内蔵した国の全額借金返済と都道府県市町村区の全額借金返済の為の世界最速の超電導リニアーモーターカー著作権原本を基本にした請求項1記載のニアーモーターカーの新技術。
【請求項４４】
本発明の、世界最速のリニアーモーターカーの、多少の風と雪と雨を、リニアーモーターカー線路内から排除する複数のエアー排出スクリュー官を、リニアーモーターカーの両端線路の防護壁の上部に数珠繋状に、複数連結したスクリュー官を、リニアーモーターカー線路の頭上で隙間なく高速スクリューエアーが、交差する様に超高速スクリューエアー官を、リニアーモーターカー線路の両端の壁の上に、超高速スクリューエアー官を、積載内蔵した国の全額借金返済と都道府県市町村区の全額借金返済の為の世界最速の超電導リニアーモーターカー著作権原本を基本にした請求項1記載のリニアーモーターカーの新技術。
【請求項４５】
本発明の、世界最速のリニアーモーターカーの、線路内の人の侵入防止壁は、列車接近距離告知燈と超薄型テレビ画像パネル内蔵グラスファイバードアと高出力レールモーター上下全自動開閉ホームドア透明グラスファイバーパネル装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項４６】
本発明の、世界最速のリニアーモーターカーの、ホーム椅子は、温度調整のニクロム酸化鉄にアルミニウムパネルを被せた超小型の電熱線型の暖房パネル内蔵の温度調整枕と圧電素子磁気バイフ゛レイションと冷暖房風吹き出し口の付いた椅子に、外気遮断スクリューエアーカーテン装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項４７】
本発明の、世界最速のリニアーモーターカーの、ホーム椅子に設置して有る灰皿は、全自動掃除機能付きの灰皿に成り、スクリュー水全自動洗浄出来る灰皿を、積載内蔵した国の全額借金返済と都道府県市町村区の全額借金返済の為の世界最速の超電導リニアーモーターカー著作権原本を基本にした請求項1記載のリニアーモーターカーの新技術。
【請求項４８】
本発明の、世界最速のリニアーモーターカーの、駅のホームに設置している飲料水の廃棄物のペットボトル処理方法は、金属センサーによって、全自動にペットボトルと金属ボトルを仕分け出来る金属種確認装置を積載内蔵した国の全額借金返済と都道府県市町村区の全額借金返済の為の世界最速の超電導リニアーモーターカー著作権原本を基本にした請求項1記載のリニアーモーターカーの新技術。
【請求項４９】
本発明の、世界最速のリニアーモーターカーの、駅のホームに設置している飲料水の廃棄物のペットボトル全自動処理方法は、ペットボトルを、潰して、切り刻んで洗浄して専門の容器に入れて、リサイクルセンターまで、高出力モーターボックス全自動移動出来る飲料水のペットボトルと金属管を、潰したり、切り刻んだりして、所定の高出力モーターボックスに積載して全自動移動出来るシステムを、積載内蔵した国の全額借金返済と都道府県市町村区の全額借金返済の為の世界最速の超電導リニアーモーターカー著作権原本を基本にした請求項1記載のリニアーモーターカーの新技術。
【請求項５０】
本発明の、世界最速のリニアーモーターカーの、駅のホームに設置しているエレベーター装置のワイヤは、二重被せワイヤの、通常ワイヤの中芯部分に中る場所のワイヤ構造として、登山ロープの網ワイヤを、通常ワイヤの中芯部分とした二重被せワイヤを、積載内蔵した国の全額借金返済と都道府県市町村区の全額借金返済の為の世界最速の超電導リニアーモーターカー著作権原本を基本にした請求項1記載のリニアーモーターカーの新技術。
【請求項５１】
本発明の、世界最速のリニアーモーターカーの、駅のホームに設置しているエレベーター装置のカメラは、放射能飛散防止パネルの、レントゲンカメラを積載する事で、リニアーモーターカーの駅内に入る人の危険物を、瞬間に撮影出来る放射線飛散防止のガンマー放射線飛散防止パネル積載のカメラを、積載内蔵した国の全額借金返済と都道府県市町村区の全額借金返済の為の世界最速の超電導リニアーモーターカー著作権原本を基本にした請求項1記載のリニアーモーターカーの新技術。
2011年9月26日pm20時37分寝る時間まで、少し書く事にする千葉県の墫野和夫で有る。
【請求項５２】
本発明の、世界最速のリニアーモーターカーの、駅のホームに設置しているエレベーター装置の、高出力発電液晶タッチパネルは軽水素トリチウム電子を液晶部分に、混合合成した軽水素トリチウム電子とアルゴンガスを入れた電子と電気発光物質を入れる事で、少ない電気量で、液晶画面の映像効果を可能に出来る軽水素トリチウム電子とアルゴンガスを混合合成内蔵したエレベータータッチスイッチ高出力発電液晶タッチパネルを、積載内蔵した国の全額借金返済と都道府県市町村区の全額借金返済の為の世界最速の超電導リニアーモーターカー著作権原本を基本にした請求項1記載のリニアーモーターカーの新技術。
2011年9月26日pm21時32分寝る時間なのでペンを、置く千葉県の墫野和夫で有る。
2011年9月27日pm19時37分寝る時間まで、少し書く事にする千葉県の墫野和夫で有る。
【請求項５３】
本発明の、世界最速のリニアーモーターカーの、駅のホームに設置しているエレベーター装置の、高出力圧電素子発電用磁石床板装置の圧電素子磁石は、軽水素トリチウム電子入りの圧電素子磁石体シートパネルと軽水素トリチウム電子入りのチタン酸バリウムシートパネルを、交互に複数貼りあわせた圧電素子磁石体の外周にアルミニウム絶縁体の高出力圧電素子磁石体の崩壊防止金属カバーを取り付けると同時に、スプリングとエレベーター床の圧電用の鉄板に成り、高出力圧電素子磁石体の一番下側に増幅電子吸収体の銅板と高出力圧電素子磁石体と高出力圧電素子磁石体のプラス磁気電気取り込み配線と高出力圧電素子磁石体のマイナス磁気電気取り込み配線を取り付けた高出力圧電素子磁石板を、エレベーターの一番下の階に取り付けた高出力圧電素子磁石体の発電体装置を、内蔵積載した国の全額借金返済と都道府県市町村区の全額借金返済の為の世界最速の超電導リニアーモーターカー著作権原本を基本にした請求項1記載のリニアーモーターカーの新技術。
【請求項５４】
本発明の、世界最速のリニアーモーターカーの、駅のホームに設置しているエレベーター装置の、高出力電動仕切り弁エレベーターは、高出力ＤＣブラシレスインバータ制御レールモーターとエレベータードアスピードを遅くさせる為に、少ない電気を専門に流す事によって、エレベータードアの開閉を、ゆっくりさせる構造にする事と、高出力エレベータードアのドア部分に取り付けるシリコンシート内蔵絹糸網内蔵ゴムドア幅部分を、40センチメートルのシリコンシート多層重ねパネル内蔵ゴムと透明グラスファイバードアによって、人の挟まれ事故の怪我の程度を、軽くした多層重ねシリコンシートパネル内蔵の絹糸網ゴムパネル積載のグラスファイバー貼り付けドアのエレベータードア挟まれ防止ドアを内蔵積載した国の全額借金返済と都道府県市町村区の全額借金返済の為の世界最速の超電導リニアーモーターカー著作権原本を基本にした請求項1記載のリニアーモーターカーの新技術。
2011年9月27日pm20時57分寝る時間なので、ペンを、置く千葉県の墫野和夫で有る。
2011年9月28日pm18時28分寝る時間まで、少し書き始める千葉県の墫野和夫で有る。
【請求項５５】
本発明の、世界最速のリニアーモーターカーの、駅のホームに設置しているエレベーター装置の、超小型エレベーター用冷暖房クーラーは、フロンガスを、炭素合成固形窒素の中に、フロンガスを内蔵合成した固形フロンガスに、フロンガスの気化放出防止対策として、フロンガス混合合成窒素ガス内蔵プラスチックシートを、炭素合成固形窒素フロンガスの複数の筒穴空きの固形フロン全体に、フロンガス混合合成窒素ガス内蔵プラスチックシートを被せる事によって、フロンガスの大気放出を、避けた固形フロンガスに、窒素ガスを、循環させる冷却システム装置を、内蔵積載した国の全額借金返済と都道府県市町村区の全額借金返済の為の世界最速の超電導リニアーモーターカー著作権原本を基本にした請求項1記載のリニアーモーターカーの新技術。
【請求項５６】
本発明の、世界最速のリニアーモーターカーの、駅のホームに設置しているエレベーター装置の、超小型エレベーター用冷暖房クーラーの暖房装置の暖房装置の電熱線は、ニクロム電熱線は、ニクロム筒線の中に、テングステン金属を、内蔵した二重金属ニクロム線に、複数穴あき銅板パネルを、被せた場所に高出力卍形状モーターによって、送風する事で、暖房風を得る事の出来る二重金属ニクロム線を、内蔵積載した国の全額借金返済と都道府県市町村区の全額借金返済の為の世界最速の超電導リニアーモーターカー著作権原本を基本にした請求項1記載のリニアーモーターカーの新技術。 
【請求項５７】
本発明の、駅のホームに設置しているエレベーター装置のブレーキシステムは、Ｗ制御モーターブレーキシステムは、ダイナモモーターのダイナモモーターホイストブレーキシステムと高出力ＤＣブラシレスインバータ制御レールモーターの電磁石接合ブレーキの二つのモーターを使用したダブルモーターブレーキシステムを、内蔵積載した国の全額借金返済と都道府県市町村区の全額借金返済の為の世界最速の超電導リニアーモーターカー著作権原本を基本にした請求項1記載のリニアーモーターカーの新技術。
【請求項５８】
本発明の、世界最速のリニアーモーターカーの、客席の椅子の足元に、循環濾過水を、使用した足のスクリュー水マッサージ装置によって、旅の疲れを、リニアーモーターカー内に少ない水を使用したスクリューエアー水装置の超小型高出力コンプレッサーと温水を同時に出す事によって、足底等及び足全体のスクリューエアーマッサージが出来る装置を積載内蔵した国の全額借金返済と都道府県市町村区の全額借金返済の為の世界最速の超電導リニアーモーターカー著作権原本を基本にした請求項1記載のリニアーモーターカーの新技術。
【請求項５９】
本発明の、世界最速のリニアーモーターカーの、客席の椅子に取りつけられて入る高出力圧電素子磁気高周波スピーカー型バイブレーター装置と高出力圧電素子磁気低周波スピーカー型バイブレーター装置を、交互に切り替える時間迂回発電回路発電型リレーインバータ制御スイッチによって、高出力圧電素子磁気高周波スピーカー型バイブレーター装置と高出力圧電素子磁気低周波スピーカー型バイブレーター装置を、交互に作動できる装置を、リニアーモーターカーの椅子に積載内蔵した国の全額借金返済と都道府県市町村区の全額借金返済の為の世界最速の超電導リニアーモーターカー著作権原本を基本にした請求項1記載のリニアーモーターカーの新技術。
【請求項６０】
本発明の、世界最速のリニアーモーターカーの、洗面機に使用する水は、超小型タンクに排出した使用排水を、高出力超小型真空装置によって、使用排水を、瞬間気化させて、木材灰入りプラスチック糸フィルターと雑草灰入りテトロン糸フィルターと生ゴミ灰入りレイヨン糸フィルターと石炭灰入りグラスファイバー糸フィルターの四重フィルターによって、再濾過して、加熱処理冷却を、行った水を、水の再利用循環水使用システム装置を、積載内蔵した国の全額借金返済と都道府県市町村区の全額借金返済の為の世界最速の超電導リニアーモーターカー著作権原本を基本にした請求項1記載のリニアーモーターカーの新技術。
2011年9月28日pm20時40分少し早めに寝る千葉県の墫野和夫で有る。
2011年10月2日am11時20分休日の為、少し書き始める千葉県の墫野和夫で有る。
【請求項６１】
本発明の、世界最速のリニアーモーターカーの、駅トイレに設置するカラーライト光遮断感知式シャワー手洗い機の全自動スイッチ装置は、超小型の光認識装置の高出力ＣＣＤのカメラレンズ集光ＣＣＤ光認識パネルは、軽水素トリチウム電子入りのアルゴンダイオードＣＣＤパネルは木材灰入りラスチック混合合成絶縁膜と軽水素トリチウム電子入りのアルゴンダイオードを交互に貼りあわせたシート糸を、十字網状のＣＣＤシートに成る様にした複数の網状の軽水素トリチウム電子とアルゴンガスの混合合成ガスを、ダイオードシートパネルに混合合成した混合ガス入りの光電子変換の世界で一番早い軽水素トリチウム電子入りの高出力新技術とアルゴンガスを取り入れたＣＣＤカードを積載内蔵した国の全額借金返済と都道府県市町村区の全額借金返済の為の世界最速の超電導リニアーモーターカー著作権原本を基本にした請求項1記載のリニアーモーターカーの新技術。
2011年10月5日雨天休の為、am7時20分から書き始める千葉県の墫野和夫で有る。
【請求項６２】
本発明の、世界最速のリニアーモーターカーの、駅洋式トイレは、小さな子供用のトイレが無かった為、便槽に座ると安定性が無くて、子供に執っては、余り心地の良い状態で無かった為、洋式トイレの便槽口を、高出力電動モーター仕切り弁を使用した洋式トイレ便槽口にする事によって、小さな子供でも、使用出来るトイレとして、便槽口全体を、上下高出力モーター調整出来るトイレにする事で、子供のトイレ嫌いを、無くす為の洋式トイレシステム装置に成り、トイレ水ボタンは、洋式トイレ便座横に子供用のボタンを、取り付ける事と、トイレットペーパーは、音声及びボタン及びカメラ被写体のジェスチャー作動によって、トイレットペーパーが、天井から降りて来るリニアーモーターカーの駅のトイレシステムを、積載内蔵した国の全額借金返済と都道府県市町村区の全額借金返済の為の世界最速の超電導リニアーモーターカー著作権原本を基本にした請求項1記載のリニアーモーターカーの新技術。
【請求項６３】
本発明の、世界最速のリニアーモーターカーの、駅洋式トイレは、霧状の適温エアー水によって、トイレ便槽内の汚れ防止カーテンバリア構造にする事によって、トイレの清掃を、全自動で行うシステムと脱臭用の強制吸引防水フィルターフアン口にする構造にする事によって、トイレの臭いを、少なくする事と、トイレフアンプロペラを、酸化劣化成りにくいプラスチックプロペラとモーター軸を、プラスチック酸化劣化防止対策のプラスチックガラス溶液によって、モーター軸コーテングする事によって、モーター軸の劣化を、防ぎ、モーター板に対しては、圧電素子溶液に成る電気の通るプラスチックと軽水素トリチウム電子と圧電素子体粒子を、混合合成した溶液を、鉄製のモーターコイル板にコーテングする事によって、モーターコイル板の酸化による錆防止対策と高出力銅筒官コイル配線に対しても、電気の通るプラスチック溶液と軽水素トリチウム電子と錆止め塗料溶剤と銅金属粉を、合成した錆止め塗料溶液を、高出力銅筒官コイルに塗る事によって、高出力コイルの酸化劣化防止対策とモーターカバー全体を、電気と磁気の通る錆止め塗料溶剤を、モーターカバー全体に塗る事で、モーターカバーの圧電素子磁石体粒子混合錆止め塗料材によって、高出力モーターの、錆止め劣化と更なる電気消費の少ない高出力モーター構造システムを、積載内蔵した国の全額借金返済と都道府県市町村区の全額借金返済の為の世界最速の超電導リニアーモーターカー著作権原本を基本にした請求項1記載のリニアーモーターカーの新技術。
【請求項６４】
本発明の、世界最速のリニアーモーターカーの、駅トイレは、汚物洗浄水を、高出力真空装置の高出力モーターと高出力電動モーター仕切り弁と高出力発電回路とスクリューエアー官とスクリュー蒸気官と高出力銅筒官電気配線を、使用積載した中温エアー混合蒸気水によって、トイレの汚物を、流して清掃した後、水分入りの汚泥は、高出力真空装置の、真空効果によって、トイレの汚物から、水分を、全て取り除いて、水分自体は、全自動アンモニア水の、高出力遠心分離機によって、アンモニア気化物質と異物混入無しの真水に、瞬間的に気化物質を取り込んでからの、高出力遠心分離機の全自動作動によって、トイレ汚物の汚水を、循環水に変える事によって、トイレ水の給水を、無くす事によって、水資源の循環水確保と掃除水の確保によって、無駄な工事費を、削減したリニアーモーターカーの駅トイレの循環水システムを、積載内蔵した国の全額借金返済と都道府県市町村区の全額借金返済の為の世界最速の超電導リニアーモーターカー著作権原本を基本にした請求項1記載のリニアーモーターカーの新技術。
【請求項６５】
本発明の、世界最速のリニアーモーターカーの駅広場の床掃除機の一つのシステム紹介として、駅ホーム床全体を、高出力電磁石と木材灰入りグラスファイバー絶縁体枠構造の高出力インバータスイッチと高出力発電回路内蔵の2センチ正方形角の高出力電磁石床パネル装置は、高出力圧電素子磁石体を、複数針穴構造の鋼鉄ステンレス薄板を、包む様に折り曲げて被せた高出力電磁石板床に成り、電磁石配線には、高出力銅筒官電気配線を、使用して、一つ一つに高出力サイリスタインバータ制御スイッチを、積載する事によって、超軽量の薄型エアー吸引型掃除機の底に取り付けられて入る複数の高出力電磁石装置と床面に取り付けられて入る複数の電磁石の室内の位置確認カメラ複数異種電波確認装置によって、浮遊型全自動掃除機の浮遊操作と全自動掃除機の移動システム管理を行い、ゴミとホコリとチリの吸引に対しては、高出力モーター吸引によって、ホコリとチリを、全自動吸引出来る構造とホコリとチリは、木材灰入りナイロン糸網と雑草灰入りテトロン糸網と軽水トリチウム電子入り圧電素子磁石体粒子入り電気の通るプラスチック糸網を、交互に編み合わせたチリとホコリを、集める為の掃除機超軽量網によって、ゴミとチリとホコリを、集めて、全自動ゴミ処理出来るリニアーモーターカー駅の全自動掃除位置認識コンピュータエコ機械によって、花粉などのアレルギーを、少なくする為の全自動対策機械を積載内蔵した国の全額借金返済と都道府県市町村区の全額借金返済の為の世界最速の超電導リニアーモーターカー著作権原本を基本にした請求項1記載のリニアーモーターカーの新技術。
【請求項６６】
本発明の、世界最速のリニアーモーターカーの、駅エスカレーター装置では、高出力電磁誘導超軽量発電装置の軽水素トリチウム電子入りの高出力圧電素子磁石体を、高出力電磁誘導超軽量発電装置の高出力銅筒官コイル配線を高出力電磁誘導超軽量発電装置の構造とした装置を、エスカレーター回転体一つ一つに取り付けて本体の高出力電磁誘導超軽量発電装置に取り付ける事によって、エスカレーターが回転する度に高出力電磁誘導超軽量発電装置によって、連続発電出来る装置を積載内蔵した国の全額借金返済と都道府県市町村区の全額借金返済の為の世界最速の超電導リニアーモーターカー著作権原本を基本にした請求項1記載のリニアーモーターカーの新技術。
2011年10月5日株式証券を松戸市まで買いに行く千葉県の墫野和夫で有る。
2011年10月10日休日の為、今から書き始める千葉県の墫野和夫で有る。
【請求項６７】
本発明の、世界最速のリニアーモーターカーの、駅エスカレーター装置には、衣類の雨濡れ衣服を、瞬間に乾燥出来る高出力ＤＣブラシレスインバータ制御レールモーターと電気熱瞬間吸収発電出来るスクリュー官と、高出力銅筒官電気配線と木材灰入りプラスチック糸網フィルターと雑草灰入りテトロン綿合成糸網フィルターと生ゴミ灰入り松皮糸合成プラスチック糸網フィルターと竹灰入り亜麻合成麦藁合成糸網フィルター等を、交互に重ねた多層重ねフィルターと高出力銅筒官コイルと高出力電気熱瞬間吸収発電コンデンサーと高出力発電回路を、高出力真空装置の部分的構造とした高出力真空装置と四角形口型の高出力電動モーター仕切り弁を、主体とした瞬間小型乾燥機を、エスカレーター装置横の迂回移動装置によって、駅エスカレーターの回転装置横に設置する事によって、エスカレーターを、乗って下りるまで、衣類を、瞬間乾燥出来る装置を、積載内蔵した国の全額借金返済と都府県市町村区の全額借金返済の為の世界最速の超電導リニアーモーターカー著作権原本を基本にした請求項1記載のリニアーモーターカーの新技術。
【請求項６８】
本発明の、世界最速のリニアーモーターカーの、駅コインロッカーの扉装置は、透明グラスファイバーパネルと取り付け型の、置物略名簡単デザイン積載のパネルを、コインロッカーの内天井から取り出して、扉に明示して、不審物の放射線飛散防止パネルレントゲンカメラによって、コインロッカーの中の、危険物調査を、コインロッカーを、開けないで調べる事の出来るコインロッカーのグラスファイバー扉及びプラスチックガラス扉等のガンマー放射線飛散防止パネル積載の超小型レントゲンカメラ調査出来るあらゆる乗り物のコインロッカー構造及びロッカー等の外部から、ロッカーつまり物入れ庫内の、内部調査を、乗り物内積載のガンマー放射線飛散防止カメラ等のロッカー内の物質形状確認カメラによって、危険物の持ち込みを、未然に防ぐ装置を積載内蔵した国の全額借金返済と都道府県市町村区の全額借金返済の為の世界最速の超電導リニアーモーターカー著作権原本を基本にした請求項1記載のリニアーモーターカーの新技術。
【請求項６９】
本発明の、世界最速のリニアーモーターカーの、手荷物全自動運搬駅室内道に設置している手荷物籠は、手相と他社の個人の発明の指紋の二つの異なった人の認識装置によって、電子放電カーテンと電子放電カーテンの放電電子吸引装置を、手荷物全自動運搬駅室内道に設置している手荷物籠内に有る手荷物の置き引き犯罪と手荷物の引っ手繰り犯罪を、未然に防ぐ、あらゆる個人の所有物の手荷物盗難防止システム装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項７０】
本発明の、世界最速のリニアーモーターカーの、手荷物全自動運搬駅室内道に設置している手荷物籠には、危険金属物等の全自動確認出来るガンマー放射線飛散防止パネルカメラと手荷物の外形形状認識出来る赤外線パネルカメラと通常ライトカメラを、一度にカメラパネル切り替え出来る複数高出力モーター切り替えパネル内蔵の超小型カメラを、積載内蔵した国の全額借金返済と都道府県市町村区の全額借金返済の為の世界最速の超電導リニアーモーターカー著作権原本を基本にした請求項1記載のリニアーモーターカーの新技術。
【請求項７１】
本発明の、世界最速のリニアーモーターカーの、駅エレベーターは、エレベーター室内は、回転しないで、エレベーター二重構造の外側だけが、ネジ型回転して、エレベーターの上下を、エレベーター室内外部上に取り付けられている二重重ねの異なった登山ロープ網型ワイヤを、ワイヤ芯にしたワイヤ油吸収シリコン亜麻糸球内蔵シートを貼り付けた二重ワイヤを、エレベーター用ワイヤを構造とした二重ワイヤ装置を、積載内蔵した国の全額借金返済と都道府県市町村区の全額借金返済の為の世界最速の超電導リニアーモーターカー著作権原本を基本にした請求項1記載のリニアーモーターカーの新技術。
【請求項７２】
本発明の、世界最速のリニアーモーターカーの、駅エレベーターは、エレベーター室内は、回転しないで、エレベーター二重構造の外側だけが、ネジ型回転して、エレベーターの上下を、エレベーター室内外部上に取り付けられている二重重ねの異なった登山ロープ網型ワイヤを、ワイヤ芯にしたワイヤ油吸収シリコン亜麻糸球内蔵シートを貼り付けた二重ワイヤを、エレベーター用ワイヤを構造としたネジ回転体エレベーターの対面二か所のビル室内鋼鉄ネジに対して、高出力ＤＣブラシレスインバー制御レールモーターと高出力電磁誘導発電装置の電気とエレベーター室内底に設置して有る全自動高出力軽水素酸素水の循環型燃料電池発電装置の別名高出力水発電機を、積載する事によって、発生する電気エネルギーによって、エレベーター外側が、ネジ形状のスクリュー回転に対してエレベーター室内が、回転しないようにエレベーター内側とエレベーター外側の内内の間に、高出力ＤＣブラシレスインバータ制御モーターを、エレベーター内部室とエレベーター外部室の間に積載内蔵する事によって、例えエレベーター室外部が、回転してもエレベーター透明プラスチック網型発電ガラス100円形扉が回転しないように、ＤＣブラシレスインバータ制御レールモーター全自動制御と緊急時に、全自動作動する超小型高出力水発電機を、積載内蔵した国の全額借金返済と都道府県市町村区の全額借金返済の為の世界最速の超電導リニアーモーターカー著作権原本を基本にした請求項1記載のリニアーモーターカーの新技術。
【請求項７３】
本発明の、世界最速のリニアーモーターカーの、駅エレベーターは、エレベーター室内は、回転しないで、エレベーター二重構造の外側だけが、ネジ型回転して、エレベーターの上下を、エレベーター室内外部上に取り付けられている二重重ねの異なった登山ロープ網型ワイヤを、ワイヤ芯にしたワイヤ油吸収シリコン亜麻糸球内蔵シートを貼り付けた二重ワイヤを、エレベーター用ワイヤを構造としたエレベーター客室の底の高出力水発電外部カバーは、箱枠形状のグラスファイバー厚手枠とプラスチックゴム厚手枠とシリコン球内蔵ゴム厚手枠と綿糸玉球内蔵ゴム厚手枠と樹脂合成ゴム厚手枠を、交互に貼りあわせたもしものエレベーター落下時の、衝撃を、若干和らげる為の構造とエレベーター室内天井に取り付けているシリコン球内蔵多層エアー衝撃吸収エアー袋パネルとエレベーター室内床に取り付けられて入る複数軽量グラスファイバースプリングゴム板装置とスプリング反動止め厚手の複数エアー入りゴムパネルのエレベーター床のスプリング反動運動を、少しでも吸収出来る衝撃吸収出来る複数のシリコンエアー空洞を備えたゴムパネルを、積載内蔵した国の全額借金返済と都道府県市町村区の全額借金返済の為の世界最速の超電導リニアーモーターカー著作権原本を基本にした請求項1記載のリニアーモーターカーの新技術。
【請求項７４】
本発明の、世界最速のリニアーモーターカーの、地下商店街の遊歩道には、深さ0,5ミリメートルの、打ち流し幅0,5ミリ水路に、時間一定的に流す水は、軽水素酸素水と軽水素酸素石灰水と牧草菌水とミント香料入り軽水素酸素水を、時間毎に分けて流す事によって、リニアーモーター駅地下街及びビル街を、循環して、ビル内部の臭い等を、幾分取り除いたり、中和したり、駅室内全体の温度調整を、行う事の出来る駅ホール全体の温度管理と脱臭中和管理システムを、高出力水中ポンプシステムと高出力水発電機システムを、積載内蔵した国の全額借金返済と都道府県市町村区の全額借金返済の為の世界最速の超電導リニアーモーターカー著作権原本を基本にした請求項1記載のリニアーモーターカーの新技術。
【請求項７５】
本発明の、世界最速のリニアーモーターカーの、地下商店街の扉の外気遮断エアー扉は、高出力モータースクリューエアーコンプレッサーの外気遮断スクリューエアー壁と高出力モータースクリューコンプレッサーの外気若干遮断の弱スクリュードア全体発射型の外気遮断エアーカーテンの二重エアーカーテン装置によって、外気の完全遮断を目的とした多層フィルターを構造の一部とした多層エアーカーテン高出力モータースクリューエアーコンプレッサーシステムを、積載内蔵した国の全額借金返済と都道府県市町村区の全額借金返済の為の世界最速の超電導リニアーモーターカー著作権原本を基本にした請求項1記載のリニアーモーターカーの新技術。
【請求項７６】
本発明の、世界最速のリニアーモーターカーの、地下商店街使用荷物移動用の、衛星室内地図ＧＰＳの複数電波位置確認装置積載の、全自動反リモコン型の、高出力モーター積載の荷車は、6輪全体のモーターを一つ一つ全体をモーター制御回転させる為の、高出力ＤＣブラシレスインバータ制御レールモーターを、それぞれ四か所の高出力前後移動モーター軸の四か所に取ける事によって、荷車底台に取り付けた全自動走行の為の、高出力モーターとリニアーモーターカー室内の地図アンテナ装置は、十字方向の前後左右の位置の天井位置に、スクリュー全自動リモコン波の送受信アンテナを、設置すると同時に、高出力モーター荷車に高出力圧電素子磁石体アンテナをそれぞれのアンテナの高出力圧電素子アンテナに軽水素トリチウム電子入り圧電素子磁石体粒子内蔵プラスチック溶液を被せて固めた高出力アンテナと高出力コイルと高出力銅筒官電気配線と高出力電気熱瞬間吸収発電コンデンサーと高出力サイリスタと高出力ＮＰＮ型トランジスタと高出力ＰＮＰ型トランジスタと高出力ＰＮ接合ダイオードと高出力Ｎ型半導体と高出力Ｐ型半導体と高出力超ＬＳＩとＩＣに、積載内蔵した高出力低電気消費回路と高出力発電回路を内蔵した高出力電波送受信装置を使用した、高出力モーター荷車全体を、室内複数電波位置計測装置によって、全自動反リモコン型の駅室内位置確認装置を内蔵した、高出力モーター積載の荷車の荷台には、高出力新2連振り子型機械式発電機の電気エネルギーによって、高出力モーター荷台の全自動走行の電気エネルギーを、賄う事の出来る全自動循環発電装置を積載内蔵した国の全額借金返済と都道府県市町村区の全額借金返済の為の世界最速の超電導リニアーモーターカー著作権原本を基本
にした請求項1記載のリニアーモーターカーの新技術。
【請求項７７】
本発明の、世界最速のリニアーモーターカーの、地下商店街使用荷物移動用の、衛星室内地図ＧＰＳの複数電波位置確認装置積載の、全自動反リモコン型の、高出力モーター積載の荷車に積載内蔵する高出力モーターは、高出力電磁誘導発電薄型装置の取り付けた高出力モーターを積載内蔵した国の全額借金返済と都道府県市町村区の全額借金返済の為の世界最速の超電導リニアーモーターカー著作権原本を基本にした請求項1記載のリニアーモーターカーの新技術。
【請求項７８】
本発明の、世界最速のリニアーモーターカーの、地下商店街使用荷物移動用の、衛星室内地図ＧＰＳの複数電波位置確認装置積載の、全自動反リモコン型の、高出力モーター積載の荷車に積載内蔵する高出力発電発光ダイオードライト玉は、発光ダイオードの玉のダイオードの電子量を、増やす為に、軽水素トリチウム電子気化物質を、発光ダイオードのダイオード部分に、予め軽水素トリチウム電子をダイオードに混合合成する事で、ダイオードの電子増幅技術によって、少ない電気量でダイオードの軽水素トリチウム電子入りの高出力Ｎ型半導体と軽水素トリチウム電子入りの高出力Ｐ型半導体の間にアルゴンガス混合軽水素トリチウム電子入りダイオード発光体の増幅発電体及びネオンガス混合軽水素トリチウム電子入りのダイオード発光体を使った高出力発光ダイオード玉新技術を、積載内蔵した国の全額借金返済と都道府県市町村区の全額借金返済の為の世界最速の超電導リニアーモーターカー著作権原本を基本にした請求項1記載のリニアーモーターカーの新技術。
【請求項７９】
本発明の、世界最速のリニアーモーターカーの、地下商店街使用荷物移動用の、衛星室内地図ＧＰＳの複数電波位置確認装置積載の、両方作動可能な反全自動リモコン型の、高出力モーター積載の荷車に積載内蔵する高出力発光ダイオードカメラは、赤外線内蔵パネルカメラと紫外線内蔵パネルカメラとアルファー放射線内蔵パネルカメラとベータ放射線内蔵パネルカメラとガンマー放射線内蔵パネルカメラと軽水素トリチウム電子入り完全透明プラスチックシート内蔵クリスタルガラスパネルカメラを、一つのモーターカメラパネルスイッチ切り換え型の超小型カメラを、積載内蔵する事によって、危険物の人の所有状態と人の体温状況の全自動確認出来るとガンマー放射線内蔵カメラと暗がりでも、撮影出来る赤外線パネルカメラと更に暗がりの場所の光源を撮影出来る紫外線パネルカメラと物体及び地山及び雪の中及びゴミの山の中をレントゲン透視出来るガンマー放射線内蔵カメラと物体を、電子シート超えで見る事の出来る電子シートパネルと軽水素トリチウム電子とアルゴンガスを混合合成したを一つの高出力モーター軸に一つずつ取り付けて、高出力映像解析の軽水素トリチウム電子入りアルゴンガスパネルは、少ない光でも、明るく映す事の出来る軽水素トリチウム電子入りアルゴンガス混合合成完全透明プラスチックシート内蔵クリスタルガラス筒パネルと軽水素トリチウム電子入りネオンガス混合合成完全透明プラスチックシート内蔵クリスタルガラス筒パネルは、更に少ない光でも明るく映す事の出来るカメラパネルを、積載内蔵した複数カメラパネルのボタンスイッチ切り替えと音声認識切り替えとカメラジェスチャ形状スイッチ切り換えと手相形状認識スイッチ切り換え出来る超小型の複数モーターカメラパネル切り替えの高出力発光ダイオードライトカメラ積載の、衛星室内地図ＧＰＳの複数電波位置確認装置積載の、全自動反リモコン型の、高出力モーター積載の荷車を、リニアーモーターカー駅街の荷物移動手段の反全自動リモコン型の、高出力モーター積載の荷車を積載内蔵した国の全額借金返済と都道府県市町村区の全額借金返済の為の世界最速の超電導リニアーモーターカー著作権原本を基本にした請求項1記載のリニアーモーターカーの新技術。
【請求項８０】
本発明の、世界最速のリニアーモーターカーの、駅地下商店街使用荷物移動用の、衛星室内地図ＧＰＳの複数電波位置確認装置積載の、両方作動可能な反全自動リモコン型の、高出力モーター積載の荷車に積載内蔵する超細型ワイヤ網は、荷台の荷物盗難を、防ぐ為の、超小型高出力ワイヤ網巻き取りの為、高出力モーターに成り、手相確認スイッチによって、全自動作動の超細ワイヤの全自動巻き取りシステム装置は、モーターの引っ張り荷重を、設定する事によって、高出力モーターの引っ張り速度調整を、高出力ＤＣブラシレスインバータ制御レールモーターの電気供給量電圧メーター設定スイッチ調整によって、超小型高出力ワイヤ網巻き取りのスピード調整を可能にした複数の電気供給配線と複数のサイリスタスイッチの電圧調整スイッチを、積載内蔵した国の全額借金返済と都道府県市町村区の全額借金返済の為の世界最速の超電導リニアーモーターカー著作権原本を基本にした請求項1記載のリニアーモーターカーの新技術。
【請求項８１】
本発明の、世界最速のリニアーモーターカーの、駅の地下動物乗馬施設に使用する合成砂は、超微小ゴム粒子砂と超微小ビニール粒子砂と超微小シリコン粒子砂と超微小プラスチック粒子を混合撹拌した合成砂を、地下の動物遊歩道に敷き詰める合成砂は、水洗いが、簡単な少ない水のスクリュー回転によって、洗う事の出来る軽量合成砂を、世界最速のリニアーモーターカーの、駅の地下動物乗馬施設に使用積載内蔵する事によって、生きた動物をリニアーモーターカー地下街に積載内蔵した国の全額借金返済と都道府県市町村区の全額借金返済の為の世界最速の超電導リニアーモーターカー著作権原本を基本にした請求項1記載のリニアーモーターカーの新技術。
【請求項８２】
本発明の、世界最速のリニアーモーターカーの、駅の地下動物乗馬施設に使用する防水シートの有り方として、固形窒素内蔵グラスファイバーコンクリート枠に、液体固形窒素内蔵プラスチック時間乾燥溶液を敷き詰めた後に、液体ゴム時間乾燥型溶液を敷き塗り重ねる事によって、低温の床防水方法に成り、無臭の植物性アルカリアルコールと固める場合は、別の酸性アルコール窒素コンクリートプラスチックゴム溶液を床に敷き詰めた後に、アルカリアルコール液を、散布して、時間を待って固める手段の床防水コンクリートを、使用積載内蔵した国の全額借金返済と都道府県市町村区の全額借金返済の為の世界最速の超電導リニアーモーターカー著作権原本を基本にした請求項1記載のリニアーモーターカーの新技術。
【請求項８３】
本発明の、世界最速のリニアーモーターカーの、駅の地下動物乗馬施設に使用する循環濾過水は、高出力電動モーター仕切り弁付タンク底は、高出力真空装置によって、駅の地下動物乗馬施設に使用した洗浄排水を、一旦、地下排水タンクに多層種類型フィルター網と高出力電動円形モーター仕切り弁によってアンモニア不純物入り排水を、第一タンクに収納した後、高出力真空装置によって、大型微粒子ゴミを、取除いたアンモニア排水を、第二排水タンクに移した後、第二タンクの高出力遠心分離タンクによって、アンモニアと酸素水素水を、分けると同時にアンモニアは、酵母菌入り乾燥生ゴミ及びアンモニア酵母菌を撹拌した酵母発酵土にアンモニアを入れて撹拌する事によって、酵母成長に伴う発酵物質の植物粉末などと木材粉を、土と撹拌した後、酵母を入れて撹拌する事によって、アンモニア酵母菌増殖温度分解によって、アンモニアを、無害にする装置に成り、アンモニアをある程度取り除いた酸素水素水は、第三高出力遠心分離機タンク装置によって、最後のアンモニアを、取り除く事に成り、濾過水は、一度の水の沸騰温度以下の温度によって、アンモニア及びアルコール等を、気化処理する事によって、無臭の酸素水素水を、得る事が出来るアンモニア酸化防止のグラスファイバー熱瞬間吸収発電官にアルミニウム二つ割り官を被せてナットリングで固定した二重スクリュー官排水官を使用積載内蔵した国の全額借金返済と都道府県市町村区の全額借金返済の為の世界最速の超電導リニアーモーターカー著作権原本を基本にした請求項1記載のリニアーモーターカーの新技術。
【請求項８４】
本発明の、世界最速のリニアーモーターカーの、駅の地下動物乗馬施設に使用する循環濾過水は、世界最速のリニアーモーターカーの、駅の排気ガスを複数噴水カーテンの駅室内の汚れた空気を、浄化する為の低温複数シャワーカーテンによって、駅室内の空気を、常温噴水シャワーカーテン水によって、空気清浄を、可能にする事によって、駅室内の、風邪等のウイルス感染を、少なくする事を、可能にした空気清浄装置を使用積載内蔵した国の全額借金返済と都道府県市町村区の全額借金返済の為の世界最速の超電導リニアーモーターカー著作権原本を基本にした請求項1記載のリニアーモーターカーの新技術。
2011年10月10日pm21時47分寝る時間なので、ペンを置く千葉県の墫野和夫で有る。
2011年10月11日pm19時23分寝る時間まで、少し書く事にする千葉県の墫野和夫で有る。
【請求項８５】
本発明の、世界最速のリニアーモーターカーの、駅の地下の野菜栽培農園及び野菜水耕園では、生ゴミを、発酵材と一緒に撹拌して、高出力真空装置によって、生ゴミを瞬間乾燥させて、湿度と温度管理の元で発酵させたな生ゴミを、地下農園の全自動発酵生ゴミ肥料投入機によって、野菜農園の全自動追肥システム及び地下水耕園の全自動追肥システム装置の超小型の高出力電動仕切り弁の二つのスクリュー官の間に、追肥肥料を、貯め置きする事によって、追肥肥料が、容器からはじけたりする事を、防止する構造を備えた地下農園と地下野菜水耕園は、高出力発光ＬＥＤライト玉によって、地下野菜栽培農園と地下野菜水耕園の光度管理を行い、霧を使ったミュート送風と超微粒温度調整二酸化炭素送風によって、植物の温度管理と光焼け防止を行う事の出来る地下野菜栽培農園と野菜栽培農園の二重金属ニクロム線入り銅板パネルの温度調整と湿度調整と肥料調整出来る農業システムを積載内蔵した国の全額借金返済と都道府県市町村区の全額借金返済の為の世界最速の超電導リニアーモーターカー著作権原本を基本にした請求項1記載のリニアーモーターカーの新技術。
2011年10月11日pm21時8分寝る時間なので、ペンを置く千葉県の墫野和夫で有る。
【請求項８６】
本発明の、世界最速のリニアーモーターカーの、地下駅システムは、地上から地下へ3メーターは、地上土によって、木々と植物の人工林にする事で、周囲の温度と湿度の人工自然林調整する事によって、台風大雨災害を、防ぎ、地下2メーター以下は、コンクリと鉄筋網ブロック構造に成っている為、木々が、台風で倒れない人工的な、地下構造にする事で、木々の台風等の強風に耐える事の出来る構造にしたリニアーモーターカーの地下駅の、地上環境システムを、積載内蔵した国の全額借金返済と都道府県市町村区の全額借金返済の為の世界最速の超電導リニアーモーターカー著作権原本を基本にした請求項1記載のリニアーモーターカーの新技術。
【請求項８７】
本発明の、世界最速のリニアーモーターカーの、地下駅システムは、塩化プラスチックボックス内蔵コンクリート網ボックスの下に地下駐車場システムを、設置して、その下に地下商店街を、設置して、その下に地下マンションを、設置した地下50メーター下に地下リニアー駅を、作る、縦型、シルード方式は、地下を、機械ドリル掘削機によって、掘削しながら、鋼鉄厚手型枠を、下げながら掘削を、進める掘削システムに成り、掘削土は、スクリュー高出力吸引器機械によって、掘削土ストックヤードに高速排出した後、地下掘削土を、処理する最新式の地下掘削機械システムを積載内蔵した国の全額借金返済と都道府県市町村区の全額借金返済の為の世界最速の超電導リニアーモーターカー著作権原本を基本にした請求項1記載のリニアーモーターカーの新技術。
2011年10月24日pm22時00分寝る時間なので、眠る千葉県の墫野和夫で有る。
2011年10月25日pm19時51分北海道庁知事宛てに、知的所有財産の細胞活性化装置の改良型の著作権文章の葉書を、北海道知事宛てに出して来る。
【請求項８８】
本発明の、世界最速のリニアーモーターカーの、地下駅システムの掘削方法として、敷地内を、鋼鉄の四角形状の鋼鉄筒矢板を複数地盤に差し込みながらドリル吸引しながら岩盤まで、下げながら、掘削する方法に成り矢板接合は、先が尖った鋼鉄矢板の繋ぎ部分は、筒状に成っていて、差し込み矢板形状矢板を、差し込んで二本のボルトで止めて、空いている部分に再生プラスチックゴム溶液を、流しこんで、矢板の瞬間固定をしたうえで、四か所の接合矢板を同時に刺し込み、次から次に四角形状矢板を、地盤に差し込む事に成るが、一番した側に四角形形状矢板が、地下の一番下に到着した場合、部分的、四角形状の外側部分の矢板を残して、地中分解出来る縦溝油性シリコンプラスチック板を、コンクリート遮断パネルとして、使用して、地下の捨てコンクリートを、1メーター捨コンクリートを、打つ事によって、広い敷地の外部矢板の固定を、図ってから、2メートルずつ鉄筋を組んでプラスチックパネルのブロックプラスチックを、コンクリート壁パネルの切梁変わりにして、コンクリートを、打った後も、外さないで、四角形形状矢板を、引き抜きながら、コンクリート打設を、行う事になり、コンクリート打設壁の固形窒素グラスファイバー網入り塩化プラスチックパネルは、取り外さないで、壁紙及び、壁パネルを取り付け易くする為、鉄性の型枠止めの錆止め防止として、アルミニウム溶液の二重金属にする事によって、錆止め二重鉄筋によって、地下駅システムの100メーター近くの地下構造物の建て方システムを、積載内蔵した国の全額借金返済と都道府県市町村区の全額借金返済の為の世界最速の超電導リニアーモーターカー著作権原本を基本にした請求項1記載のリニアーモーターカーの新技術。
【請求項８９】
本発明の、世界最速のリニアーモーターカーの、地下駅システムの掘削方法の矢板を支える支柱は、地下捨コン内に、支柱固定鉄芯に鋼鉄支柱のネジ型鉄芯の内部にアルミニウム溶液を、入れて固めた鉄製の厚板のネジ型の型枠ジャキと地上部分で、引き抜き固定する事で、矢板の沈下重量を、和らげる為に、地下捨てコンクリートは、50センチ捨コンリートを、打った後に、圧鉄板を、敷地全体に敷き詰めボルト止めと溶接止めによって、鋼鉄板の、固定してから、再び、鋼鉄鉄筋を、組んで1メートルの二段階捨てコンクリートを、行う事によって、捨コンリートの割れ防止を、行った捨コン工法と矢板を、スクリューネジ型切梁によって、矢板の落下を、防いだ地下コンクリート建物の建築工法を、積載内蔵した国の全額借金返済と都道府県市町村区の全額借金返済の為の世界最速の超電導リニアーモーターカー著作権原本を基本にした請求項1記載のリニアーモーターカーの新技術。
2011年pm21時36分寝る時間なので、眠る千葉県の墫野和夫で有る。
【発明の詳細な説明】
【技術分野】
【０００１】
本発明は、日本のリニアーモーターカーの技術と異なった世界最高速リニアーモーターカーの全般全ての著作権原本先技術に関する2012年12月30日pm20時20分の説明追加開始。
【背景技術】
【０００２】
従来のリニアーモーターカー技術は、一階客席対応型のリニアーモーターカーに成り、二階客席対応型のリニアーモーターカー技術に成る。
【０００３】
そして、リニアーモーターカーの電気説明では、超電導電気が、理想的なのだが、レアーアース配線を、使った銅筒管コイル配線もしくは、銅筒管配線を、使った超電導物質のケイ素ヨウ素などの世界最高の日本の大学の超電導配線技術でも、電気抵抗ゼロには届かなかった。
【０００４】
更に、リニアーモーター専用の高圧電磁石より、電気の流れを、速くした電磁石は無かった。
【０００５】
リニアートンネル内の空気抵抗を、減らす技術が、現在まで存在しなかった。
【０００６】
そして、リニアーモーターカーの緊急ブレーキの安全度の高い緊急ブレーキ技術が、存在しなかった。
【０００７】
尚且つ、地下トンネルのコンクリート劣化を、遅らせる技術が、他社に無かった。
【０００８】
最後に、通常電気中から、熱抵抗電気を、取り除き電気抵抗ゼロの電気を、通常電気温度では、電気抵抗ゼロ技術にする技術は、他社及び全世界に存在しなかった。
【先行技術文献】
【特許文献】
【０００９】
【特許文献１】特開2012―236606号の国の全額借金返済と都道府県市町村区の全額借金返済の為の知的所有財産の多機能電気観光船著作権原本
【００１０】
【特許文献２】特開2012―236605号の国の全額借金返済と都道府県市町村区の全額借金返済の為の知的所有財産の多機能電気モータープロペラ飛行機原本
【００１１】
【特許文献３】特開2012―210703号の国の全額借金返済と都道府県市町村区の全額借金返済の為の多機能インプット全自動ロボットの著作権原本
【００１２】
【特許文献４】特開2012―187001号のテレビ局の目と有識者の目と大学教授の目と共に国民の電気エネルギー危機の再チェックと試作が必要と思われる電力不足危機対応の対策案の為に公開する、国の危機の全額借金返済の為の新２連振子型機械式無害無給油無休憩発電機（半永久連続作動発電機）
【００１３】
【特許文献５】特開2012―170063号の国の全額借金返済と都道府県市町村区の全額借金返済の為の知的所有財産の圧電素子補助急速充電携帯電話著作権原本
【００１４】
【特許文献６】特開2012―166951号の国の全額借金返済と都道府県市町村区の全額借金返済の為の知的所有財産の生ゴミ真空装置粉末処理車著作権原本
【００１５】
【特許文献７】特開2012―140584号の国の全額借金返済と都道府県市町村区の全額借金返済の為の炭素固形フロン冷蔵庫著作権原本
【００１６】
【特許文献８】特開2012―120440号の国の全額借金返済と都道府県市町村区の全額借金返済の為の多機能電気自動車著作権原本
【００１７】
【特許文献９】特開2012―116727号の国の全額借金返済と都道府県市町村区の全額借金返済の為の知的所有財産の最速スクリュー水電気消防装置著作権原本。
【００１８】
【特許文献１０】特開2012―108140号の国の全額借金返済と都道府県市町村区の全額借金返済の為の知的所有財産の化石燃料一切必要としないレントゲンカメラ放射線飛散防止パネル装置著作権原本
【００１９】
【特許文献１１】特開2012―101790号の国の全額借金返済と都道府県市町村区の全額借金返済の為の知的所有財産のワンタッチ全自動エアー浮輪著作権原本
【００２０】
【特許文献１２】特開2012―099506号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機）
【００２１】
【特許文献１３】特開2012―097559号の国の全額借金返済と都道府県市町村区の全額借金返済の為の知的所有財産の化石燃料一切必要としない高速瞬間気化処理除雪車著作権原本
【００２２】
【特許文献１４】特開2012―097558号の国の全額借金返済と都道府県市町村区の全額借金返済の為の知的所有財産の固形窒素プラスチックグラスフアイバーパネル著作権原本
【００２３】
【特許文献１５】特開2012―094548号の国の全額借金返済と都道府県市町村区の全額借金返済の為の知的所有財産の光りフアイバーブラウン官テレビ著作権原本
【００２４】
【特許文献１６】特開2012―077607号の国の全額借金返済と都道府県市町村区の全額借金返済の為の知的所有財産のヘドロ処理運搬車装置の著作権原本。
【００２５】
【特許文献１７】特開2012―056558号のパワーアップハイブリッド車
【００２６】
【特許文献１８】特開2012―052788号の国の全額借金返済と都道府県市町村区の全額借金返済の為の知的所有財産の化石燃料一切必要としない電気ストーブ著作権原本
【００２７】
【特許文献１９】特開2012―011211号の国の全額借金返済と都道府県市町村区の全額借金返済の為の全自動最速電気洗濯乾燥機著作権原本。
【００２８】
【特許文献２０】特開2011―233228号の多機能ビデオ著作権原本
【００２９】
【特許文献２１】特開2011―215148号の電子熱核燃料原石核融合発電と放射能廃棄物処理方法。
【００３０】
【特許文献２２】特開2011―209290号の多目的カーナビゲイション著作権原本と都道府県市町村区と国の全額借金返済と弱者自立社会を目指す為の２００１年からの道民財産著作権原本
【００３１】
【特許文献２３】特開2011―205895号の多機能情報冷暖房無休憩発電機（原子力事故及び地震事故対応型）（無害無給油の無休憩の半永久全自動作動発電機型）
【００３２】
【特許文献２４】特開2011―205675号の多機能携帯電話装置原本
【００３３】
【特許文献２５】特開2011―202498号の一戸建て免震装置著作権原本及び国の全額借金返済と都道府県市町村区の全額借金返済と弱者自立と救済の著作権技術説明の２００１年からの道民財産著作権
【００３４】
【特許文献２６】特開2011―155267号の超軽量高出力発電人工衛星
【００３５】
【特許文献２７】特開2011―105307号の未来的電気自動車
【００３６】
【特許文献２８】特開2011―064060号の日本の弱者国民救済の地震対応型の多機能発電ハウスシステム
【００３７】
【特許文献２９】特開2011―060294号の発電タッチパソコン発電タッチパソコン
【００３８】
【特許文献３０】特開2010―171943号の多機能新技術携帯電話
【００３９】
【特許文献３１】特開2010―165355号の国の９００兆円越えの借金全額返済の為の世界最新の公共事業対策装置
【００４０】
【特許文献３２】特開2006―254697号の全レールモーター制御無害無給油発電機を、使用した電気自動車
【００４１】
【特許文献３３】特開2004―304993号の一度に複数の電気配線と複数の電気コイルを、持ち得た焼けないで、力のあるモーターのあり方。
【００４２】
【特許文献３４】特開2004―304992号公報の圧電素子3電子磁気分割装置の電気から熱抵抗電気を減らして電気を長持ちさせて、電気製品に無理をかけない電気装置の有り方(別名圧電素子4電子磁気分割装置)
【００４３】
【特許文献３５】特開2004―135480号の自動充電池
【００４４】
【特許文献３６】特開2003―328925号の真空装置と機械式発電機を、使った水だけの発電機
【００４５】
【特許文献３７】登録実用新案第3168043号高出力発電７連結以上モーター
【００４６】
【特許文献３８】登録実用新案第3145963号省エネルギー水気化水発電機（別名水発電機）
【００４７】
【特許文献３９】登録実用新案第3114491号二連結以上モーター
【発明の概要】
【発明が解決しようとする課題】
【００４８】
以上に述べた従来のリニアーモーターカーでは、多くの人を、運べなくて、リニアー速度も、頂点に達して無い状態で有り、リニアーモーターカーの緊急ブレーキも、安全度の高い技術が無く、トンネルのコンクリート劣化防止技術も無い現在の、1000兆円近い国の借金では、到底100年位しか持たないリニアーモーターカーに対しての国民負担は、どの金額に成るのか考え深いもので有る。
【００４９】
本発明は、この様な従来の、日本国の企業国家の、企業利益第一から、弱者国民一人一人の平等な安定した生活権と生活安定実施技術を、掲げ、都道府県市町村区を、主体とした、全線に対して地下リニアーモーターカー線路を、実現する事を、目的とするもので有る。
【００５０】
そして、本発明は、この様な従来の構成が有していた問題を、解決しようとするもので有り、リニアーモーターカーのスピードを、電気抵抗ゼロの電気世界に道引き緊急非常ブレーキを、駅構内手前に設け，地価料金の掛からない前線地下リニアーモーターカー線路を、目的とするもので有る。
【課題を解決するための手段】
【００５１】
2012年12月31日am8時58分からの二度書きの本発明は、上記目的を、達成擦る為にリニアーモーターカーの電磁石を、通常コイルから、銅官の中に軽水素トリチウム電子ガスと圧電素子磁石体粒子を、混合撹拌合成した電気と同じスピードで電気が流れる軽水素トリチウム電子ガス入りの圧電素子磁石体粒子入りの銅筒管を、高出力銅筒管コイル配線と命名した電気抵抗ゼロすなわち軽水素トリチウム電子ガスは、電子ガスの為、電気より、細かい電子集合体ガスに成り、電気スピードと同じ流れのまま、軽水素トリチウム電子ガスを、電気が通って進む為、電気抵抗ゼロの説明に成り、銅線より、銅筒管の中の軽水素トリチウム電子ガス入りの圧電素子磁石体粒子配線の方が、先に電気が流れ、銅線内は遅い電気が流れる仕組みに成る為、高出力銅筒管コイル配線または、高出力銅筒管コイル配線に絶縁体プラスチックゴムを、被せた電気配線は、電気自体を、電気の流れの遅い電気と電気の流れの電気抵抗ゼロの速い電気が、競り合って流れている電気構造に成り、全世界の大学と全世界の企業が追い求めて来た理想に近い電気を、作り上げた事に成り、超電導は、マイナス200数十度で、電気抵抗ゼロに成って電気が流れるが、本発明の高出力銅筒管コイル配線に於いては、常温電気でも電気抵抗ゼロ電気が可能に成り、全世界の家電メーカー及びリニアーモーターカー新技術開発部では、のどから手が出る程手に入れたい新技術に成り、この電気配線だけでも、恐らく全世界の販売利益では、数百兆円市場技術に成り、電気自動車のモーターコイル配線など、リニアーモーターカーの未来維持の世界最新技術の高出力銅筒管コイル配線技術説明に成る。
【００５２】
第二の課題解決手段として、2012年12月31日am9時47分からの二度書きの本発明は、高出力銅筒管コイル配線を、使用積載した電磁石は、通常の鉄磁石を、使わず、現在のリニアーモーターカーの電磁石構造は、電磁石板の中までが、コイル構造の電磁石コイル構造に成り、本発明の場合は、これらの技術を、使わない独自の技術説明として、超薄の複数凹凸付のステンレス永久磁石板と永久鋼鉄磁石の中心部分を、刳り貫いた永久鋼鉄磁石枠と軽水素トリチウム電子ガス入りの圧電素子磁石体シートパネルと複数針穴構造の軽水素トリチウム電子ガス入りのチタン酸バリウムシートパネルを、交互に貼り合わせた高出力圧電素子磁石体を、永久鋼鉄磁石枠に入れて再び、軽水素トリチウム電子ガス入りの圧電素子磁石体シートを、両側に貼り付け、最後に凹凸の付いたステンレス永久磁石体シートパネルで固定した磁石板に、高出力銅筒管コイルを、太目の正しい巻き数と形に整えたコイル板に、再び、複数針穴付の凹凸付のステンレス永久磁石板を、被せた高出力コイル板の複数針穴付の凹凸付のステンレス永久磁石板の表面を、軽水素トリチウム電子ガス入り錆び止め塗料と圧電素子磁石体塗料を、高出力コイル板の複数針穴付の凹凸付のステンレス永久磁石板の表面に複数回塗る事によって、リニアーモーターカーの電磁石板が完成に成る。
【００５３】
第三の課題解決手段として、2012年12月31日am11時47分からの二度書きの本発明は、高出力銅筒管コイル配線までは、紹介しましたが、高出力銅筒管コイル配線を使った超軽量電気配線表皮構造として、竹灰つまり、竹炭を、更に燃やして残った物質が竹灰で有り、竹灰は、炭素繊維などの軽量物質に属し割と材料の手の入り易い竹灰は、非燃焼物質に成り、ガラス溶液とゴム溶液と木材灰を、混合合成した燃焼しづらいグラス灰ゴムは、高出力銅筒管コイル配線に被せると熱と燃焼しづらい物質で作った電気配線表皮構造に成り、更に軽い電気配線表皮に擦る為に、竹灰とプラスチックとゴムの混合合成材が、グラス灰ゴムより、軽いプラスチック灰ゴム電気配線表皮装置に成る。
【００５４】
第四の課題解決手段として、2012年12月31日am12時22分からの二度書きの本発明は、超軽量絶縁体説明として、高出力レールモーターの絶縁体として、超軽量絶縁体構造説明として、竹灰とプラスチックを、混合合成した灰入りプラスチックに、アルミニウムシートを貼り付けたモーター絶縁体に成り、リニアーモーターカーの各部の高出力レールモーターの電磁石絶縁体と人工合成の高出力圧電素子永久磁石体の絶縁体に使用される装置部品内容説明に成る。
【００５５】
第五の課題解決手段として、2012年12月31日am12時35分からの二度書きの本発明は、リニアーモーターカーの流す電気は、高出力水発電機等で、発電した電気を、使用する事に成るが、発電した電気は既に熱抵抗電気を、含んだ電気の為、場合によって熱溜まり現象を、起こす結果に成る。
その為、既に公開されている技術の圧電素子4電子磁気分割装置は、通常電気中の熱抵抗電気を、取り除く為、通常電気を、圧電素子4電子磁気分割装置に対して電気を通すと電気抵抗の有る電気と電機抵抗の無い電気に分ける事が出来る。
【００５６】
第六の課題解決手段として、2012年12月31日pm19時52分からの二度書きの本発明は、リニアーモーターカーのトンネル内のリニアーモーターカーの位置を、素早く知らせるシステムとして、野外では、複数の山岳ヘリコプターを、使ってリニアーモーターカーの位置を、複数の山岳ヘリコプターとリニアーモーターカーとの
距離を、割り出す事によって、リニアーモーターカーの位置を、全自動無線連絡する事の出来る装置。
更に、地下では、トンネル内電波受信装置とトンネル内スクリュー電波発射装置よって、リニアーモーターカーの位置を、スクリュー無線波の受信位置の途切れによって、リニアーモーターカーの位置を、把握出来て随時に、連絡する事が出来る装置。
更に、補助位置連絡システムとして、リニアー線路のサイドに、カラーライトラインの光りラインの軽水素トリチウム電子ガス入りのダイオード光認識パネルは、軽水素トリチウム電子ガスを、入れたダイオードとシリコンを、半分半分入れて撹拌した物質に軽水素トリチウム電子ガスを、入れたシリコンダイオードの軽水素入り混合物質を、シートパネルにした物と軽水素トリチウム電子入り圧電素子磁石体シートを、貼り付けて、プラスとマイナス磁極に、カラーライン光の電気検知配線を、取り付けた装置に成り、軽水素トリチウム電子ガス入りのシリコンダイオードパネルには、レンズガラスパネルと言う薄レンズにガラス溶液を、被せた板ガラスを、軽水素トリチウム電子ガス入りのシリコンダイオード圧電素子磁石体の合わせパネルに、カラーラインライト光が、当たって居る間は、カラーラインライト光の
光り電子発電値を、軽水素トリチウム電子ガス入りのシリコンダイオードパネルが、弱電子熱検知したのを、圧電素子磁石体パネルによって、瞬時にプラスとマイナスの磁気電子に分けて電子電気検知センサーによって、随時、カラーライトライン光のリニアーモーターカー通過時に発生するカラーライトライン光のカラーライトライン遮断による光検知センサーの反応の有無によって、リニアーモーターカー位置通過連絡システムによって、リニアーモーターカーの列車位置を、駅のリニアーモーターカー列車位置確認パネルによって、列車の位置を、確認出来るシステム。
この他、リニアーモーターカーのリニアーモーターカーを、移動させるインバータ制御センサーを、インバータ電気感知連絡型のインバータ制御装置に擦る事によって、三種類の三重の列車位置確認装置を、従えたリニアーモーターカーの位置確認連絡システム。
【００５７】
第七の課題解決手段として、2013年1月1日am7時50分からの二度書きの本発明は、リニアーモーターカーの先端には、風切羽を、取り付ける事によって、若干の列車の風抵抗を、風を、切って進む考え方に基づいたデザイン羽に成り、高出力モーター風切り羽タイプも有る。
【００５８】
第八の課題解決手段として、2013年1月1日am8時05分からの二度書きの本発明は、リニアーモーターカーの地上を、走るリニアーモーターカーの場合、ヘリコプターなどで、プロペラを、外付け出来る構造のリニアーモーターカーは、歴史始まって以来の超大型地震被害及び津波被害によって、リニアーモーターカーが、走行出来なく成った場合、ヘリコプターなどによって、プロペラの外付けを、行なって、緊急脱出出来る構造を、持ちえたリニアーモーターカーに成る。
【００５９】
第九の課題解決手段として、2013年1月1日am8時15分からの二度書きの本発明は、リニアーモーターカーの緊急脱出用のプロペラに積載するモーターは、高出力二連結以上モーターに成る。
【００６０】
第十の課題解決手段として、2013年1月1日am8時23分からの二度書きの本発明は、リニアーモーターカー先頭車両の先端部分には、第一クッションと第二クッションと第三クッションと呼ばれる車体を、支える金属板に対して、アルミニウム鉛合金板に対して、鉛銅合金板に対して、鉛鉄合金板を、溶解接着させたクッション車体は、万が一の衝突時の衝撃に備えた緊急時に備えた複数の金属を、一つの車体先端部の金属板とした構造に成る。
この他、車体先端部のサイドから、先端部から5メーター分の先端車両部の囲う金属は、差し込み継手溶着方式の金属板繋ぎ方式に成り、金属切れの生じない方法に成り、その他後方部までは、穴空きジュラルミン板を、使用していて、繋ぎ部分は、差し込み繋ぎ溶着方式に成り、穴の空いたジュラルミン板部分は、竹灰入りグラスファイバーパネルに擦る事によって、軽量化を、計っている構造に成り、日本の企業では、絶対に使わない技術に成り、特注技術に成ると、値段が、遥かに高く成る技術に成り、JR鉄道でも、絶対に手を、付けない技術説明に成る。
【００６１】
第十一の課題解決手段として、2013年1月1日am11時17分からの二度書きの本発明は、リニアーモーターカーの室内及び浮上に使用する電源は、高出力水発電機に成り、恐らく他社では、水素タンクの水素と酸素の燃料電池の海外技術使用と思われるのは、浮上した場合、外部からの電気供給が無理の為、この様な構造に成り、高出力水発電機は、軽水素酸素水の循環水発電機の為、尚且つ、水成分中に重水素を、含まない水は、重水素の代わりに、軽水素のみの軽水素トリチウム電子ガスと酸素ガスの融合ガスに対して、軽水素トリチウムガスが、二割程度多く入っている軽水素酸素水に成り、水素より、発電率の良い化合物水に成り、他社では、絶対に真似の出来ない発電化合物質の軽水素酸素水の為、大学マスコミテレビ新聞の企業関連のマスコミでは、絶対に公開話題にしない発電物質の材料に成り、高出力水発電機別名の無休油型循環燃料電池と名前を、付けても、実際には水素と酸素の発電で無く、軽水素と酸素の新技術発電に成る。
【００６２】
第十二の課題解決手段として、2013年1月1日am11時34分からの二度書きの本発明は、リニアーモーターカーの個人認証ロッカーは、手相のリニアーモーターカーの駅乗車の際に、身分証明書提出と手相読み込みを、行なって、リニアーモーターカーのロッカーに、データーブロックを、取り付ける事によって、リニアーモーターカー内の個人認証ロッカーの手相システムが、作動する仕組みに成って入る。この場合、手相確認装置は、一台で全てのロッカー管理を、行なう事が出来るシステムに成る。
【００６３】
第十三の課題解決手段として、2013年1月1日am11時47分からの二度書きの本発明は、リニアーモーターカーの先端のリニアー内モーターカー内のデーター送受信装置の取り付け箇所に成り、この他、リニアーモーターカーの中央天上部分と広報部分の三か所に有る。
【００６４】
第十四の課題解決手段として、2013年1月1日am11時51分からの二度書きの本発明は、リニアーモーターカーの全面の硝子形状は、ガラス企業にも無い特殊技術に成り、両面割れ防止の半液体プラスチック溶液シート内蔵のクリスタル硝子は、２枚合わせのクリスタル硝子の間に、触ると潰れる構造のプラスチック透明シートを、クリスタル硝子の間に入れたガラスに成る。
通常の、クリスタル硝子の厚みを、少し薄くして、２枚合わせにしたガラス構造に成り、ガラス衝撃を、吸収擦る為の二枚合わせガラスの欠点を、補ったガラスに成る。
従って、通常は、厚手のクリスタル硝子使用が、通常技術に成る。
【００６５】
第十五の課題解決手段として、2013年1月1日am12時13分からの二度書きの本発明は、リニアーモーターカーのカラーライトライン位置は、リニアーモーターカー車両の、周囲から、サイドのリニアー電磁石に向かってカラー光のライトライン光の光りを、飛ばしたのを、リニアーモーターカーサイド数か所に取り付けられて入るサイドライトカメラは、後方方向のカラーライトライン位置の幅計測を、カメラ焦点距離比較位置によって、車体のずれ走行を、検知する装置に成り、車体のずれとは、リニアーモーターカーの電磁石の電気供給減が、外部の超大型高出力水発電機等の電気供給に成り、外部の超大型高出力水発電機等を、複数使う為、偏った電気供給を、した場合の事故を、防ぐ為の、室内高出力水発電機によって、リニアーモーターカーの本体のサイドの電磁石の電圧部分変更によって、走行する時に使用するチェック機関に成り、カメラガラスの曇り汚れ取りのエアー水放水の為の、超小型官も、内蔵に生って入る。
【００６６】
第十六の課題解決手段として、2013年1月1日am12時33分からの二度書きの本発明は、リニアーモーターカーの高出力モーター電動仕切り弁ドア装置は、緊急非常ブレーキを、駅構内手前で使用する場合、リニアーモーターカーを、水中に浮かす為、リニアーモーターカー全体を、水中に浮かす構造にしなければ成らない為、
リニアーモーターカーのドアは、天上２か所と左ドアの2箇所の合計４か所の高出力モーター電動仕切り弁に成り、ドア部分の仕切り板は、竹灰入りグラスファイバードア物質に成り、高出力モーターカバーは、アルミニウム骨枠に、竹灰入りグラスファイバー溶液で固めたモーター枠に成り、弱冠軽量化を、計った構造の高出力モーター電動仕切り弁ドア構造に成る。
【００６７】
第十七の課題解決手段として、2013年1月1日am12時47分からの二度書きの本発明は、リニアーモーターカーの高出力薄板インバータ電磁石は、超薄電磁石にインバータ磁極電極切り替え装置を、取り付けた装置に成る。
【００６８】
第十八の課題解決手段として、2013年1月1日pm13時55分からの二度書きの本発明は、リニアーモーターカーのスクリュー風受け場所は、円曲形状の後方部のデザイン風受け装置に成る。
【００６９】
第十九の課題解決手段として、2013年1月1日pm14時6分からの二度書きの本発明は、リニアーモーターカーの前方カメラは、電熱線ガラスとして、アルミニウム銅合金の超波線を、２枚合わせガラスの間に、入れたカメラガラス構造に成り、カメラガラスの電熱線入りは、他社に無い技術で有り、全自動ロボットのカメラガラス等にも使用されている。
その他、サイドカメラ及び、バック後方カメラ及び、天上カメラ及び車両底カメラなどに電熱線入り
【００７０】
第二十の課題解決手段として、2013年1月1日pm14時35分からの二度書きの本発明は、リニアーモーターカーの前方レンズライトは、指向性とライト距離を、高めたライトに成り、望遠レンズカメラのレンズ筒を、反対に使った装置に成る。
【００７１】
第二十一の課題解決手段として、2013年1月1日pm14時37分からの二度書きの本発明は、リニアーモーターカーの収納型後方プロペラは、緊急時に使用擦る為の後方格納型後方プロペラ装置に成り、曲がり方は、モーター風切羽を、動かして曲がる構造に成って入る。
【００７２】
第二十二の課題解決手段として、2013年1月1日pm14時56分からの二度書きの本発明は、リニアーモーターカーのスクリュー風受け回転プロペラ装置は、スクリュー風を、プロペラで巻き込んで後ろへ放出する装置に成る。
【００７３】
第二十三の課題解決手段として、2013年1月1日pm15時10分からの二度書きの本発明は、リニアーモーターカーの高出力レールモーターエレベーター別名レールモーターに成り、通常のレールモーターより、数段電気消費が少ないのが、メインに成り、高出力銅筒管コイル配線と高出力電磁石板を、使用しており、インバータ装置が、高出力電磁石各部それぞれに一つ一つずつインバータ装置が取り付けられて入る磁極連続切り替え構造のモーター装置に成り、エレベーター使用モーターとして、棒状高出力レールモーターを、両サイド二本ずつの高出力棒状レールモーターを、使用したエレベーター装置に成る。
【００７４】
第二十四の課題解決手段として、2013年1月1日pm15時37分からの二度書きの本発明は、リニアーモーターカーのスクリューエアーカーテン装置は、外気温とリニアーモーターカー内の温度を、スクリュー状の複数のエアー放出線の壁によって、外気温とリニアーモーターカー内の温度維持管理調整を、行なう装置に成り、特に、リニアーモーターカー駅内の冷暖房装置が、故障した場合など、ウイルス感染などの、特殊作業に役立つ装置に成る。
【００７５】
第二十五の課題解決手段として、2013年1月1日pm16時10分からの二度書きの本発明は、リニアーモーターカーのトイレの水は、炭素の微粒子を、濾過水に入れた撹拌水を、使用したリニアーモーターカーのトイレは、モータートイレカバー付トイレに成り、トイレ全体を、洗う目的から、トイレカバーにトイレ洗浄水官とトイレカメラとトイレ高出力レールモーターシャワーによって、トイレの汚れた場所を、トイレ便槽蓋ライトカメラによって、綺麗時のトイレ便槽内ライトカメラ写真とトイレ使用後の便槽内ライトカメラデーター写真つまり、データー画像の比較軽水素トリチウム電子ガス入りダイオードセンサーによって、汚れの有無を、全自動比較出来る装置に成り、消毒液タンクを、別に設けると、消毒トイレに成るが、熱水処理洗浄トイレによって、雑菌は、ゼロに成り。蓋に、収納型ブラシを、取り付けるか、便槽の後ろか前に、収納型高出力モータートイレに成る。
この他の技術として、万遍なくトイレの便槽内全体の熱水洗浄の場合、噴射ノイズの追加とコンプレッサー水の使用に成るが、コンプレッサー水を、使用しない場合は、高出力電動モーター仕切り弁を、便槽内の流し口に取り付ける必要性とは、アンモニアガスの温度上昇によって、アンモニア気化ガスが、便槽内に付着しだすと汚れが進む為、便槽内流し口の遮断も、必要視される技術に成る。
【００７６】
第二十六の課題解決手段として、2013年1月1日pm18時分からの二度書きの本発明は、リニアーモーターカーの通路ジュータンは、マグネット磁石付ジュータンに成り、片道走行した際の交換に成り、車庫入れで、室内の温水洗浄後の後、高出力真空装置の水分除去処理に成る。
従って、使われる温水は、90度以上に成り、全自動ロボットの放射線飛散防止装置付の、レントゲンセンサーカメラとカラーラインスクリュー電波センサーと室内地図センサーによって、危険度の高い高温洗浄を、行なう事に成り、殺菌効果100パーセントの処理技術に成る。
【００７７】
第二十七の課題解決手段として、2013年1月1日pm19時10分からの二度書きの本発明は、リニアーモーターカーの客席椅子装置の構造は、急停車時の、衝突の吸収度を、高める為の対策として、第一エアー袋及び第二エアー袋及び第三エアー袋構造に対してエアー袋の中半分程度が、液体シリコンが、はいっている構造に成り、強い衝撃の顔などの衝撃対策として入る。
この他、椅子の腰の位置を、調整出来るエアー調整腰装置によって、腰の角度を、自分で調整出来る装置。
【００７８】
第二十八の課題解決手段として、2013年1月1日pm19時52分からの二度書きの本発明は、リニアーモーターカーの椅子シートの多層重ねシートの構造説明。
ゴムシートの上にプラスチック布シートと綿布シートとテトロン布シートと再び綿布シートを、貼り合わせた少し重めの汗取りシートに成り、現在は、綿布シートの一枚構造が支流の様で有る。
【００７９】
第二十九の課題解決手段として、2013年1月1日pm19時58分からの二度書きの本発明は、リニアーモーターカーの液晶発電パネルの説明として、ガラス基板内の二枚合わせガラス基板の間に、透明シリコンに近い電気の通る透明プラスチックとシリコンを、混合撹拌して出来た薄目のシリコンに軽水素トリチウム電子ガスを入れた軽水素トリチウム電子ガス入りのシートを、２枚合わせのクリスタル硝子の間に入れる事にした上で、通常の透明ガラス粉とチタン酸バリウム液に軽水素トリチウム電子ガスを、混合合成した白または薄白色の軽水素トリチウム電子ガス入りの圧電素子磁石体粒子を、薄目の軽水素トリチウム電子ガス入りのシリコンプラスチックシートの端に薄白の軽水素トリチウム電子ガス入りの圧電素子磁石体粒子を、入れる事と磁極電気取り出し配線のプラス磁極配線とマイナス磁極配線を、取り付ける事によって、パネル画像光の瞬間熱光吸収発電した電気を、回収出来るテレビを、発電テレビと言うが、高出力発電回路を、取り付けると更に、低電気消費のテレビパネル技術に成り、液晶部分に、予めアルゴンガスと軽水素トリチウム電子ガスを、入れるとテレビの電圧の掛ける電気量を、少なく出来る事と、画像を、撚り明るく色彩度を、くっきりムラの無い画像に仕上げる事も、可能に成って来ている液晶パネルを、使った技術。
【００８０】
第三十の課題解決手段として、2013年1月1日pm21時04分からの二度書きの本発明は、リニアーモーターカーの地下駅ホーム手前の急こう配線路の説明として緊急時に、緊急用貯水槽の水を、リニアーモーターカー線路の勾配の窪みに、瞬間給水して、リニアー線路内を、地下駅ホームの高さまで、水を、溜める事によって、
リニアーモーターカー先端に設けられている水切り羽根によって、水中にリニアーモーターカーが潜る構造に成って入る緊急ブレーキシステムに成り、スクリュー官放水官と緊急ブレーキ終了後の排水の為の、複数の高出力電動モーター仕切り弁付の排水溝は、更に深い水為用の地下の横トンネル貯水槽構造に成っており、再び水は濾過して、再利用するシステムに成って入る。
【００８１】
第三十一の課題解決手段として、2013年1月1日pm19時18分からの二度書きの本発明は、リニアーモーターカーの地下トンネルのコンクリート劣化防止装置の説明に成る。
先ず初めに、コンクリートの劣化を、遅らせる事は、太陽光に当てない事は、太陽光の熱劣化が、風化作用を、急がせる要因で有る。
然しながら、地下に於いては、リニアーモーターカーの風圧酸化の風化劣化と温度の上下が、激しい場合、コンクリート劣化を、急がせる事に成る。
従って、コンクリート劣化を、遅らせる簡単な技術として、コンクリート型枠を、外さない技術に成り、但し郊外及び野外に於いては、コンクリート枠のデザインばかりか、コンクリート枠に対しても、太陽光熱吸収の太陽光熱劣化の一番恐れる事態に成る為、比較的安値の固形窒素とビニール溶液を、混合撹拌した固形窒素入りのビニール溶液を、小さな粒子状にした固形窒素入りビニール粒子を、グラスファイバー溶液の中に入れて撹拌した固形窒素粒子入りグラスファイバーパネルは、高温に成りづらく冷えた状態を、保つ特徴が有り、グラスファイバーは、風化劣化が遅いのも特徴の一つに成り、ガラス物質を、多めに入れたグラスファイバーパネルは、曲がりづらいが、劣化に強く成る為、ガラス物質の多めのグラスファイバーパネルを、使用するのも、特徴の一つになる。
然しながら、万が一の火災事故対策として、数十メートルから100メートル於きに、火炎止めアルミニウム亜鉛合金パネルを、部分的に使用する事によって、火炎の続けた燃焼を、止める効果材の投入技術にも成って入る。
【００８２】
第三十二の課題解決手段として、2013年1月1日pm21時55分からの二度書きの本発明は、リニアーモーターカーの外部野外線路上では、風雨雪被害を、止める為に、複数の高出力コンプレッサーとスクリューエアー官と複数の超大型の高出力水発電機を、使ってリニアーモーターカー線路の両端から上空5メートルから10メートルの間でスクリューエアーが、交差又は当たる状態した場合、風速２００メートルのスピードスクリューエアー風を、作り上げる事によって、風速５０メートルから風速１００メートルの風雨雪被害に対応する高速スクリューエアーの複数発射装置に成る。
【００８３】
第三十三の課題解決手段として、2013年1月1日pm22時17分からの二度書きの本発明は、リニアーモーターカーの地下駅ホームのリニアー線路転落防止全自動開閉パネルは、アルミニウム鉄柱にグラスファイバーパネルを、被せた上下作動する超薄型テレビパネル内蔵のグラスファイバーパネルの両端に、高出力棒状レールモーターを取り付け誘導金具付のグラスファイバー画像パネルは、アルミニウム鉄柱部分に付いてもグラスファイバー枠誘導溝装置構造が有り、取り付けの際は、ポール上部から差し込み下まで落ちない用に仕切り板を、入れて電源を、入れて下げる取り付け方に成る。
更に、アルミニウム鉄塔パネルには、列車到着５分前黄色ランプ列車到着30秒前赤ランプが、回転する構造の地下駅ホームのリニアー線路転落防止全自動開閉パネル装置に成る。
【００８４】
第三十四の課題解決手段として、2013年1月1日pm22時38分からの二度書きの本発明は、リニアーモーターカーの地下鉄駅ホームの待合室の椅子構造説明として、全自動掃除型灰皿は、灰皿口に手を、翳すとゴム付開閉口が空く構造に成っており、最初から、閉まった状態でも、指が入る間隔を、空けた形状の開閉口に成り、二重底として、高出力電動仕切り弁の灰皿灰落とし込み口が有り、灰の回収は、横扉の高出力電動モーター仕切り弁口に成って入る構造に成り、通常の火消装置は、超小型真空装置によって、灰を、落とした後、高出力電動仕切り弁を、閉めて高出力真空装置を、使って火消を、行なう装置に成り、灰ゴミ回収は、専用の筒を、取り出した後、1分程、高出力スクリューモーター羽を。温水を、入れた状態で、回転洗浄した後、洗浄処理水を、電動仕切り弁配管口を、線自動で空けて処理出来る灰皿に成る。将来的には、灰皿の灰も全自動処理に成り、再利用として、虫除け材の再利用に成る。2013年1月１日pm23時2分寝る事に擦る墫野執筆者。
更に、椅子自体には、圧電素子磁気バイブレーターが、取り付けられており、ボタン一つでマッサージを、受ける事が出来る。
その他、椅子サイドからは、冷暖房吹き出し口が有り、夏と冬にわけて、全自動作動している。
そして、喫煙場所椅子内は、外気遮断スクリューエアーカーテンが取り付けられて入る。
【００８５】
第三十五の課題解決手段として、2013年1月2日am7時37分からの二度書きの本発明は、リニアーモーターカーの飲料水を、入れている容器は、全て売られているのが、ペットボトル式のみの飲用ペットボトル缶に成り、リニアーモーターカー内及び、各駅の自動販売機では、ペットボトルしか売られていないのも特徴の一つに成り、飲み終わったペットボトルは、回収装置に入れると、高出力モーターカッターで粉砕して、高出力噴水洗浄用回転モーターによって洗浄し終わったのを、瞬間気化乾燥機の高出力真空装置によって、水分を、飛ばして水を、切り、汚れ沈殿物質とペットボトルリサイクル粉を、別々に出来る装置を、各リニアーモーターカーの駅毎に於いて有り、弁当などの容器及び箸に至るまで、ペットボトル物質で出来て入るのだけ使用しているのも特徴の一つに成る。
【００８６】
第三十六の課題解決手段として、2013年1月2日am7時58分からの二度書きの本発明は、リニアーモーターカーのエレベーター説明に成り、超小型エレベーター用冷暖房クーラーは、固形フロンを、使用した窒素ガス循環型クーラーに成り、冬の暖房では、コイル無し高出力モーターにテングステン内蔵のニクロム線官を、使った熱放電装置は、高出力発電回路積載の暖房器具に成る。
この他、放射線飛散防止レントゲンセンサーカメラは、危険物等の不審物の全自動発見する為の、放射線飛散を、最低限くい止めたレントゲンカメラの改造型に成る。
この他、エレベータースイッチは、高出力液晶タッチパネルは、軽水素入りの液晶によって、タッチ認識速度を、早めた最新式の液晶パネルに成る。
そして、エレベーターの底と一階部分の高出力圧電素子発電用磁石床板によって、弱冠の発電電気を、回収出来る装置に成り、ドア構造は、高出力電動モーター仕切り弁ドア構造に成り、ちなみに、ワイヤを、使った場合は、二重被せワイヤは、異なった登山ロープ網ロープ網ワイヤに対して、通常網ワイヤを、被せた構造のワイヤに成り、通常のワイヤより、切れ残り易いのが特徴に成る。
更に、ワイヤを、巻き取る側の装置では、高出力電磁誘導発電装置付の、高出力内コイルモーターと高出力レールモーターのダブルモーター使用に成り、W制御モーターブレーキシステムエレベーター装置に成る。
この他、高出力棒状レールモーターを、四本使ったレールモーターエレベーターシステムも有る。
【００８７】
第三十七の課題解決手段として、2013年1月2日am8時37分からの二度書きの本発明は、リニアーモーターカーの介護椅子システムは、椅子の背もたれは、高出力高周波バイブレーターを、取り付け、椅子の下部分には、高出力低周波バイブレーターが取り付けられ、高周波と低周波の切り替えスイッチ付の椅子に成り、
足元は、循環濾過水を、使ったスクリュー温水リフレッシユ槽に成り、濾過温水取り入れ官と温水排水管が取り付けられて入る構造に成る。
【００８８】
第三十八の課題解決手段として、2013年1月2日am8時48分からの二度書きの本発明は、リニアーモーターカーの手洗い洗面槽は、真空装置活性炭フィルター使用の水の濾過システム装置は、循環水配管を、経て温水スクリューモーター水送水口によって、水出し及び温水の調整を、行ない、高出力電動仕切り弁放水口から強制配水官を、経て濾過システムへ使用水は、流れる構造に成って下り、高出力真空装置によって、老廃物の100パーセント除去に成り、問題の臭い物質を、半活性炭フィルターを、通じて、臭い物質の除去に成り、半活性炭は、毎日取り換える事に成って入る。
【００８９】
第三十九の課題解決手段として、2013年1月2日am9時02分からの二度書きの本発明は、リニアーモーターカーの駅トイレの説明に入る。
カラーライト光遮断感知式シャワー手洗い器付の男子トイレは、エアー吸引式の水切り装置に成り、高出力モーター使用に成る。
従って、男子トイレの洗浄は、強制スクリュー温水洗浄温水装置。
更に、排水管の臭い上りを、防止する為に、高出力電動モーター仕切り弁装置が取り付けられ、電動モーター仕切り弁室は、アンモニア気化ガスを、取り除く真空装置官が取り付けられ、アンモニア気化ガス腐食事故を、避けて入る。
【００９０】
第四十の課題解決手段として、2013年1月2日am9時24分からの二度書きの本発明は、リニアーモーターカーの女子トイレは、高出力モーター式の便槽口ボタン調整装置は、子供などが、腰をね落とさない構造にする為、トイレ室内取り付け型のライトカメラによって人の大きさを、カメラの全自動認識を、行なって、便槽幅を、全自動修正してくれる女子用トイレは、脱臭用強制吸引防水フィルターフアン口が有り、フィルターは、防水フィルター構造に成っており全自動で、フィルターの温水洗浄も行える様に傾斜型フィルター構造に成って入る。
更に、排出汚物を、スクリューエアー送り出しシステムに成り、従って、高出力真空装置によって、トイレ汚物を、真空処理した乾燥汚物を、スクリューエアーで押し出すシステムに成り、アンモニア水などは、遠心分離機によって、アンモニアガスと真水を、分けるシステムに成っている。
従って、アンモニアガスは、熱無菌処理及び発酵処理等を、経て合成肥料液として、地下水耕栽培園に使用するムシステムに成る。
【００９１】
第四十一の課題解決手段として、2013年1月2日am11時23分からの二度書きの本発明は、リニアーモーターカーの駅走行歩道は、複数の小型のインバータ全自動切り替え型高出力電磁石とアルミニウム絶縁体を、敷きつめた電磁石歩道は、床面は、電磁石と電気配線が敷き詰められ、配線を、集めるサイドのボックスに、複数のインバータ切り替えパネルが付いて入る歩道に成り、浮遊型全自動掃除機及び浮遊型荷車などが、全自動走行出来るリニアーモーターカー駅歩道に成り、超小型発電機を、積載した地下室内の位置地図を、積載した浮遊走行型掃除機は、室内GPS(室内地図位置記憶地図書き込みインプット型の強制スクリューエアー吸引型の強制走行用のスクリューエアー排出口と反発型の複数の高出力インバータ電磁石を、積載した浮遊型掃除機。
【００９２】
第四十二の課題解決手段として、2013年1月2日am11時54分からの二度書きの本発明は、リニアーモーターカーの高出力エスカレーター装置は、エスカレーターの直ぐ隣に瞬間衣類乾燥機を、備えた高出力棒状レールモーター方式の衣類箱移動システムと高出力超小型真空装置の衣類瞬間乾燥機で乾燥したのを、ワイヤ入りゴムベルトコンベアに二台を、取り付けた装置によって、乾燥着を、高速移動出来る装置に成り、エスカレーター乗り場で、衣類を、入れると上で乾燥衣類を、受け取れるシステムに成る。
エスカレーター装置は、高出力電磁誘導エスカレーター発電装置は、高出力電磁石と高出力人工合成の永久磁石体を、使った発電装置に成る。
【００９３】
第四十三の課題解決手段として、2013年1月2日pm13時10分からの二度書きの本発明は、リニアーモーターカーのドア無し荷物ロッカーは、手相確認スイッチ遮断装置によって、棒状レールモーター使用積載内蔵のグラスファイバーシャッタードアに対して、防犯ライトカメラと指定したアンテナ送受信機能付きの棒状レールモーター積載内蔵の荷物籠は、荷物を、受け取る際の、横取り防御システムとして、電子スクリュー放電カーテン付の荷物受取りシステムに成り、今まで使用して来なかった防犯技術に成る。
【００９４】
第四十四の課題解決手段として、2013年1月2日pm13時50分からの二度書きの本発明は、リニアーモーターカーのネジ型エレベーター装置の説明に入る。
外側を、ネジ形状の中に、高出力レールモーター軸取り付けのネジエレベーターの内側の部屋の回転を、止める制御モーターが、高出力レールモーターに成り、位置設定及び位置取りも、可能なエレベーターに成り、ドアは、高出力電動モーター仕切り弁ドアの他、高出力棒状レールモーターを、使用した横開きドア装置などが、考えられる新技術説明に成り、本発明の特徴は、ワイヤ切れの落下事故の心配が無い事と言える。
そして、エレベーター内回転制御装置は、上下二か所に、高出力レールモーター積載の世界最新式の技術。
エレベーターを、支える柱が、ビル鋼鉄エレベーター柱が二本必要に成り、部分的鋼鉄に成り、ネジ部分以外は、鉄筋コンクリート製に成る。
更に、エレベーターを、キチンと数ミリの狂い無しで、止める技術として、カラーライトスクリュー波キャッチセンサーは、カラーライトライン光のカラーライン光の光り認識の軽水素トリチウム電子ガス入りのCCDパネルにクリスタル硝子を、被せたカラーライトライン光の光り吸収認識装置に成り、CCDに軽水素トリチウム電子ガス入りのシリコン合成ダイオードが、特徴の一つに成る。
この他、スクリュー電波は、軽水素トリチウム電子入り圧電素子磁石体粒子入りのビニール混合合成の、軽水素トリチウム電子ガス入りの圧電素子磁石体粒子の電波キャッチ体に成り、ボルトナット等で何処にもでも取り付けられる事と、長持ちすると考えられる混合材に成り、他に、グラスファイバー等が、考えられる。
この他、ライトカメラの被写体認識装置によるエレベーター位置の把握手段に成り。
更に、放射線飛散防止カメラによるエレベーター枠の、セラミックデザイン画の検知システムと熱センサーのサモーカメラによるエレベーターのセラミックパネルに貼ったテングステンデザインライト画の放射線飛散防止カメラのアルファーサモーカメラセンサーのカメラ被写体認識によって、エレベーターの停止位置の正確さを、競う事に成る。
【００９５】
第四十五の課題解決手段として、2013年1月2日pm16時03分からの二度書きの本発明は、リニアーモーターカーの地下歩道の、打たせ水装置に対して、水は、通常の水を、使わず酸素と水素に対しては、水素中の重水素を、取り除いた水つまり、軽水素酸素だけの軽水素酸素水を、使った施設に成り、天上のコンクリートには、固形窒素内蔵グラスファイバーパネルに成り、軽水素酸素水は、気化し易い為、天上に水滴が、溜まり易い為、軽量歯車を使った3メーター歩道に対して30センチメートル扇風機を、１０台軽量歯車で。連結させた送風装置によって、歩道内の天上の水滴貼りつきを、無くす為の送風装置に成り、3メートル歩道の突き当りで、送風返しパネルによって、風が足元に流れる構造にしている装置に成る。
更に、軽水素酸素水は、地下貯水タンク槽を、持った地下循環水システムに成り、商店街出入り口は、スクリューエアーカーテンによって、湿気が店内に入らない工夫がされている装置に成る。
この他、地下打たせ水コンクリート床は、平らなコンクリート床の上に絶縁ゴムを、貼った上に再びコンクリート溝を張り巡らせた上に、複数穴空きの透明プラスチックガラスの上は、シリコンビニールを、貼りつけた滑り止め材を、取りつけた、打たせ水歩道に成り、夏は冷水に成り、冬は温水が流れるシステムに成って入る。
【００９６】
第四十六の課題解決手段として、2013年1月2日pm16時27分からの二度書きの本発明は、リニアーモーターカーの地下全自動補助リモコン荷車装置は、高出力モーターと高出力方向切り替えモーターと新２連振り子型機械式発電機と室内地図GPSアンテナと後方ライトカメラと前方ライトカメラと手相認識の全自動作動システムは、手相認識と位置バンドを、取り付けている為、他の人間が押しても、動かない構造に成って下り、位置バンドは、鍵式に成っている構造に成り、高出力モーター巻き取りワイヤ網装置によって、荷物固定されている為、ドロボー除けにも成る。
【００９７】
第四十七の課題解決手段として、2013年1月2日pm16時58分からの二度書きの本発明は、リニアーモーターカーの地下動物乗馬システムの砂成分は、超微小ゴム粒子と超微小ビニール粒子と超微小シリコン粒子を、使ったクッション人工加工砂を、敷き詰めた地下乗馬上は、人工加工砂を、洗う為の循環水シャワーと循環水放水口による温水撒き又は冷水撒きに成り、動物専用の水プール及び温水プールが有り、動物歩道を、経て地上までの傾斜ゴム道が有り、リニアーモーターカー駅地上階は、植樹された乗馬散歩道に成って下り、馬専用のリニアーモーターカーも有り、動物宿舎は、地上階と地下に存在する事に成る。
従って、一周4000メートルのトンネル乗馬道などが有り、乗馬トレーニングセンターとも言われる場所が地下に存在する。
【００９８】
第四十八の課題解決手段として、2013年1月2日pm18時48分からの二度書きの本発明は、リニアーモーターカーの地下水耕栽培園の紹介に成る。
地下水耕栽培園の出入り口は、外気温遮断のスクリューエアーカーテンドアに成り、地下街の二酸化炭素は、地下水耕栽培園は、地下温度調整ライト光装置と地下循環濾過水装置によって、野菜栽培などが行われ、肥料には、乾燥発酵生ゴミなどが使用される事に成る。
この他、生ゴミを、すり潰した物質を、網で濾過した肥料なども、水耕栽培園で使用される肥料に成る。
【００９９】
第四十九の課題解決手段として、2013年1月2日pm19時3分からの二度書きの本発明は、リニアーモーターカーの地下掘削は、地下１０階になると地上から40メートル程掘り下げなければ成らない為、法斜面を、切りながら矢板を、打ち再び法斜面を、切って矢板を、打つ作業に成り、当然郊外の広い場所に駅を、設ける事に成り、最低でも、地下５階に成ると、地上から20メートル下げなければ成らない計算に成り、都心部では、現在の地下鉄より下に線路を、引く計算に成る。
尚且つ、地上部リニアーモーターカーは、土地の買い上げばかりで無く、コンクリート劣化などを、踏まえても100年すなわち、コンクリート劣化防止パネルと鉄筋はね鋼鉄鉄筋を、使用したとしての換算に成るが、１００年の投資でも、少し高すぎる為、地下ゼロ円の道を、行きコンクリート300年などから1000年の道，ガラス質を、多くしたグラスファイバーパネルの厚めパネルを、使った半コンクリートなどが、考えられるが、今後の周囲の状況次第に成る。
公園の木々の風倒れ防止ワイヤのゴムを、巻いたワイヤなども特注技術に成る。
この他、避難歩道を、閉める大型の高出力電動モーター仕切り弁装置に成る。
【０１００】
第五十の課題解決手段として、2013年1月2日pm19時20分からの二度書きの本発明は、リニアーモーターカーの建設に必要な錆びない矢板構造は、新品の矢板に、錆び止め材を、塗った矢板にグラスファイバーパネルを、被せた矢板に成る。10年以上かかるリニアー駅開発の特注最新技術。
【０１０１】
第五十一の課題解決手段として、2013年1月2日pm8時23分からの二度書きの本発明は、リニアーモーターカーの荷物バスケットレールモーター管内ボタン移動バスケット装置は、高出力レールモーター上下左右の四か所の高出力レールレールモーターと荷物バスケットバランサー装置を取り付けた装置に成り、塩化ビニールの太官を、選択して、内側ボルト止め構造と管繋ぎ部分の厚みの合計が、25センチメートル〜30センチメートルの官繋ぎ部分の嵩の厚みが、最低で10センチ程欲しいのも現状に成り、これだけ厚くて太官は使用していないのも現状で有る。
なぜなら、例えば電動大型仕切り弁を、使うと緊急時の水移動官に成り、使用後は、真空装置によって瞬間水分抜きを、行なえば良い事に成り、光りファイバーライン官など、使い道の多い24時間使える地下荷物移動官は、シールド工法で、出来る為、汚泥土の高出力真空装置による瞬間による汚泥土の水抜き技術と高出力
二連結以上モーター使用のシールド掘削機によって、掘る時間と作業掘削土の処理時間を、大幅に短縮出来る新技術に成り、弱者一人一人の財団は、地下シールドの自社技術によって、リニアーモーターカーの地下大型高出力7連結以上モーター掘削シールドにも、挑戦する時代が、直ぐ近くまで、来ていると言える。
ここで一つ言えば、現場で厚さ１００メートルの高さ8メートル長さ4メートルの大型シールド用の塩化ビニールシールドトンネルを、作成後、鉄アーチェリーを、組み立て枠を、取り付けコンクリート打設によって完成に成る。
この場合、グラスファイバー型枠とコンクリート型枠等の多層式型枠は、コンクリート劣化補修工事の場合の、対処工事に成るが、壊さないコンクリート工法として、ガラス材多めのグラスファイバー枠を、含めた、軽量陶器等の絶対に壊れない劣化しない型枠材として軽量陶器パネル内蔵グラスファイバーなど、この他、風化防止のシャワー水膜などが、考えられるが、リニアーモーターカーのトンネル技術の他社に無い一例説明に成る。
【０１０２】
第五十二の課題解決手段として、2013年1月2日pm20時47分からの二度書きの本発明は、リニアーモーターカーの地下トンネルを、掘った際に、実際に生じる水処理技術を、兼ねた地下発電室の構造説明に成る。
地下駅を、地下に掘り進めて行く場合、特に都心部では、水の害つまり、地下水の量が多いのにも、気が付く事態に成り、水が、出だした時点で、地下を、掘り下げ超大型水中ポンプを、取り付けて、再び掘り下げる工法に成るが、地下三階分まで、矢板を、打ち込み掘り終えた時点で、作業エリアを、つくって、再び地下三階分の矢板を、打ち込んで切梁を、可って掘り下げる工法に成り、外周道路地下の薬注入による地盤固定も、予め必要に成り、矢板を、二回目に打つ際も、全て薬剤注入に成り、最終的に、水止め出来ない水を、使った超大型シールドの高出力モーターシールドに使われる電気を、作る為、高出力水発電を、使って、高出力２連結以上モーター水中ポンプによって、取りあえず地下水の汲み上げに成り、超大型シールドの循環水掘削にも、使用されるが問題の発電電力は、高出力遠心分離機によって、酸素と水素に分けて、燃料電池発電にも、使用出来るが、超大型の高出力水発電機の電気使用に成る。
但し、他社が事業を、まねした場合、高出力真空装置及び高出力電動仕切り弁なども、使った超大型発電機は、この様な大型事業の場合、周囲の薬注地盤固定など、電気供給なども、今後、視野に入れて作業を、行なわなければ成らない理由として、水量が、多い場合、やたら水を、汲み上げると、必ず陥没地点が、発生擦る為、地下３０メートルの深さの薬注と隙間ない薬注が、必要視されるのも間違いない事に成る。
【０１０３】
第五十三の課題解決手段として、2013年1月2日pm21時53分からの二度書きの本発明は、リニアーモーターカーの絵文字バーコードは、リニアー駅で、取り扱う荷物と、周辺商店街及び他の企業の商品と区別がつかなくなる事故を、未然に、防ぐ為のカラーバーコドと絵文字を、組み合わせたバーコードに成り、黒と白の絵文字バーコードでも、他社と区別がつく為、利用可能な技術に成る。
【０１０４】
第五十四の課題解決手段として、2013年1月2日pm22時0分からの二度書きの本発明は、リニアーモーターカーの銅筒管コイル配線の説明に成り、銅の筒管配線の中に、固形窒素粒子を、細円筒にした物質に軽水素トリチウム電子ガス入りの圧電素子磁石体粒子を、固形窒素粒子を、細円筒にした物質に巻き付けた圧電素子磁石体粒子円柱を、銅筒管配線の中に入れるか、銅板を、巻いた高出力銅筒管コイル配線の構造に成り、高圧でも、温度が上がりづらくしたコイル配線に成り、電気スピードは、電気と同じスピードで、電気を、流す事の出来るコイル配線に成る。
【０１０５】
第五十五の課題解決手段として、2013年1月2日pm22時12分からの二度書きの本発明は、リニアーモーターカーの高出力人工合成磁石体の説明を、始める。
従って、軽水素トリチウム電子入り圧電素子磁石体シートパネルと軽水素トリチウム電子入りチタン酸バリウム複数針穴空きシートパネルを、交互に貼り合わせた軽水素トリチウム電子が、沢山入った人工合成の圧電素子磁石体に、超薄型複数針穴空きステンレスシートパネルを、被せて固定したのが、高出力人工合成磁石体に成る。
【０１０６】
第五十六の課題解決手段として、2013年1月2日pm22時19分からの二度書きの本発明は、リニアーモーターカーの高出力電磁石の説明を、始める。
従って、高出力人工合成磁石体に、キチンと形良く高出力銅筒管コイル配線を、巻いたのが、高出力電磁石体に成る。
【発明の効果】
【０１０７】
上述したように本発明の世界最高速のリニアーモーターか全てのシステムは、貨物リニアーを、夜間走らせる事によって、道路の渋滞を、防ぎ、都市集中化世界か、インターネット広範囲物流社会の国民の選択肢として、日本国を、黒字社会にするのか、鉄道の国営化から民営化そして、電話会社の国営から民営化そして、郵便局の国営化から民営化へ進んだ現在、残る国の財産は、国有林を、含む国立公園と国定公園に成り、1000兆円の借金返済の為に、残る手段は。国立公園と国定公園を、日本の企業及び大学及び官庁で、1000兆円を、超える買い手主の探し相手を、現在探している筈で有り、現在までの国の財産を、民営化して来ている新聞テレビマスコミ一般の世の中の常識を、先に起こる事を、言う事に成る。
【０１０８】
更に、国の所有している物件として、国会議事堂及び各官庁の固定財産の建築物の価値資産の取得趣味者が、1000兆円を、超えての値段を、付けて買い取ってくれるかの調査に成り、世界二番目の経済大国日本の出来ないはずの無い今までの通りの、国営から民営化を、受けた最終作業の報告に成る。
【０１０９】
しかしながら、以上述べた有り得る借金返済方法だが、国会でもめた場合の対策として、個人の知的所有財産の新技術が有っても、国が、個人の申したての借金全額返済の為の工場設立案によって販売利益を、国が、借金1000兆円を、払い終えるまでの契約とした場合、又は、国の財産が全て消えた場合企業国家に成る分けで有りまして、今後、新聞テレビマスコミの動向を、視野に入れて、弱者国民一人一人が、最低生活を、更に下げる事に反対し特許権利益及び実用新案権利益が、テレビ報道でも。確認出来る様に、知的所有財産権利化財産の10割に対して一割の60パーセントしか特許権及び実用新案権者に利益還元しない企業の事実に対して、今後の国の借金返済を、どのようにしたら返せるか、国民一人一人にテレビマスコミの前で、ホームレス者までが、大学の有識者及び政治家に本音で聞かなければ、金の有る者だけが、勝ち残る時代の考え方の植え付けの趣旨を、政治家マスコミに聞く時代が、来た事なのかの確認の効果を、得る事が出来る。
【０１１０】
もし、国の全額借金返済を、著者の著作権者が希望している場合、国が、企業利益主体の企業国家を、超えた国民一人一人が裕福に成る考えの基で、日本国の全額借金返済の取り組みを、行なう為の著作権の特許技術の特許文章を、海外への無料提出を、行なって海外への世界特許製品の安値販売によって得る利益によって、日本国の全額借金返済完了の際、国との借金全額返済契約が成立しないかいるかの確認と、どの様にしたら国の全額借金返済が可能なのか、デジタルテレビ社会に成った現在、国民誰もが、相談出来るテレビ局の設立と政治家のテレビ局設立によって、知的所有財産のもっとも有効な、国の全額借金返済の為の、インターネット意見と皆で著作権を、考える効果を、もたらす。2013年1月2日pm23時日本国民で良かったと言える日本人で有りたい著者。
【図面の簡単な説明】
【０１１１】
【図１】本発明のリニアーモーターカーの車両の上面図と線路の上面図と横図。間違って消した為、2012年12月30日再び書き始める。
【図２】本発明のリニアーモーターカーの車両底図。
【図３】本発明のリニアーモーターカーの車両の横図。
【図４】本発明のリニアーモーターカーの車両の全面図。
【図５】本発明のリニアーモーターカーの車両の後部図。
【図６】本発明のリニアーモーターカーの車両の一階部分の説明図。
【図７】本発明のリニアーモーターカーの車両の二階部分の説明図。
【図８】本発明のリニアーモーターカーの車両出入り口のエアーカーテン図。
【図９】本発明のリニアーモーターカーの車両椅子の構造説明図。
【図１０】本発明のリニアーモーターカーの車両椅子カバーシートの構造説明図。
【図１１】本発明のリニアーモーターカーの車両客室後部の装置位置説明図。
【図１２】本発明のリニアーモーターカーの車両客席前方の装置位置説明図。
【図１３】本発明のリニアーモーターカーの線路の略式構造図。
【図１４】本発明のリニアーモーターカーの駅ホームの緊急ブレーキ装置位置図。
【図１５】本発明のリニアーモーターカーのトンネル略式構造図。
【図１６】本発明のリニアーモーターカーの地上外部の風雨雪防御システムの構造説明図。
【図１７】本発明のリニアーモーターカーの地下ホームの構造説明図。
【図１８】本発明のリニアーモーターカーの地下ホーム椅子システムの構造説明図。
【図１９】本発明のリニアーモーターカーの飲み物入れ官ペットボトルの全自動処理装置図。
【図２０】本発明のリニアーモーターカーの車両エレベーターの説明図。
【図２１】本発明のリニアーモーターカーの介護用椅子の構造説明図。
【図２２】本発明のリニアーモーターカーの手洗い洗面全自動濾過システムの構造説明図。
【図２３】本発明のリニアーモーターカーの駅トイレ構造説明図。
【図２４】本発明のリニアーモーターカーのトイレ濾過水システムの構造説明図。
【図２５】本発明のリニアーモーターカーの浮遊型全自動掃除機構造説明図。
【図２６】本発明のリニアーモーターカーの駅エスカレーターの構造説明図。
【図２７】本発明のリニアーモーターカーのドアの無い荷物ロッカーの構造説明図。
【図２８】本発明のリニアーモーターカーの駅のネジ型エレベーターの構造説明図。
【図２９】本発明のリニアーモーターカーの駅の循環水通路システムの構造説明図。
【図３０】本発明のリニアーモーターカーの駅の全自動インプット型荷物運搬ミニ押し車構造説明図。
【図３１】本発明のリニアーモーターカーの駅の地下動物乗馬施設の構造説明図。
【図３２】本発明のリニアーモーターカーの駅の地下水耕栽培園の構造説明図。
【図３３】本発明のリニアーモーターカーの駅の地上から地下10階の施設の概略図。
【図３４】本発明のリニアーモーターカーの駅の錆び止め矢板構造図。
【図３５】本発明のリニアーモーターカーの駅の荷物高速移動官システムの構造説明図。
【図３６】本発明のリニアーモーターカーの駅の水処理システムと発電機システムの概略構造図。
【図３７】本発明のリニアーモーターカーの荷物管理の絵文字バーコード説明図。
【図３８】本発明のリニアーモーターカーの高出力銅筒管コイル配線の構造説明図。
【図３９】本発明のリニアーモーターカーの高出力電磁石の構造説明図。
【図４０】本発明のリニアーモーターカーの高出力電磁誘導発電装置図。
【図４１】本発明のリニアーモーターカーの図面を、北海道知事宛に提出した時の郵便封筒の写し図。
【図４２】2011年9月04日のパソコンキーのスイッチの誤作動防止のスイッチを、作動しスイッチオフの為のスイッチオフキーの著作権説明図。
【図４３】2011年9月13日の自動車のメーター装置のデザイン著作権説明図。
【図４４】2011年9月01日の発電機のリモコン装置設置の構造の著作権説明図。
【図４５】2011年8月31日の携帯電話の液晶パネル画面文字の拡大システムの著作権説明図。
【図４６】2011年10月25日細胞活性化装置の改良型の著作権説明図。
【図４７】2011年10月30日山岳ヘリコプター等に積載予定の放射能線量計の改良著作権説明図。
【図４８】2011年11月22日特別なカメラレンズの構造著作権説明図。
【図４９】2011年11月20日CD及びDVD等の読み込み装置は、通常一つの読み込み書き込み装置を、片面八個の読み込み書き込み装置を、取り付けたCD及びDVD読み込み書き込み装置著作権文書図。2012年12月31日Am6時27分追加書き
【図５０】2012年01月16日超軽量炭素樹脂ヘルメットの超小型冷暖房装置の自動電池を使った構造著作権説明図。
【図５１】2011年12月24日電子レンジのエアーフィルターの構造と多機能電子レンジの著作権説明図。
【図５２】2012年04月25日海底磁場計測装置の簡略説明著作権文書図。
【図５３】2012年04月12日テレビパネル著作権文書図。
【図５４】2012年04月06日高出力電磁誘導発電装置付の自転車構造著作権説明図。
【図５５】2011年08月21日二階客席型リニアーモーターカーの概略説明著作権文書図。
【図５６】2011年07月25日新ゲームの室内GPSを、足腕の四か所に取り付けた人体の動きを、正確に計測出来る室内GPSを、使った立体画像と戦うゲームの著作権構造説明図。
【図５７】2011年11月29日防水用貯水タンクの配管の水漏れ対策を、講じた免震官装置の著作権構造説明図。
【図５８】2012年03月04日情報送信用のパソコン携帯電話の液晶を、文字形状に液晶画面を、なぞる事によって、文字認識出来る液晶タッチ画面等の著作権説明文書図。
【図５９】2012年01月16日高出力レールモーターと曲がり管を、複数使った消防水管及びコンクリート官の著作権構造説明図。
【図６０】2011年07月06日窓枠取り付け型の高出力ソーラーパネル構造説明図。
【図６１】2011年07月05日パソコンと携帯電話及び無線装置などの、高速無線装置の高速回路配線の構造説明図。
【図６２】2011年7月2日の自動電池を、使った発電回路付電熱登山服の構造著作権説明文書図。
【図６３】2011年07月04日のバックホーのバケット返しの消音の有り方の著作権構造説明図。
【図６４】2011年7月13日家電用耐熱急冷陶器パネルの構造著作権説明図。
【図６５】2011年7月8日免震装置と静電磁力線スクリューエアー反発の構造著作権説明文書図。
【図６６】2011年07月11日油圧ホースの熱瞬間吸収発電パネルの構造著作権説明図。ピアノセンワイヤ被せ線内蔵シリコン屈折パネル。
【図６７】2011年07月11日燃料電池循環発電機の構造著作権説明図。
【図６８】2011年11月1日放射線のアルファーベーターガンマー線の三種類の放射線計測機の部分的著作権技術の構造説明文書図。
【図６９】2012年03月24日高出力真空装置の構造説明図。
【図７０】2012年05月30日全自動ロボットの消えない金属アルミニウムCDデーターアルミニウムを、削ってデーターを、入れる方式CD等の消えない磁気固定磁気の著作権構造説明図。
【図７１】2012年05月30日鯉鮒釣り用の釣り針の著作権構造説明図。
【図７２】2012年05月30日油圧ミッションの補助回転装置の著作権構造説明文書図。
【図７３】2012年05月30日デフ装置の沸騰水蒸気力の構造著作権説明図。
【図７４】2012年05月31日東京電力宛の手紙の送付証拠図。
【図７５】2012年05月31日エヌテイテイドコモ本社宛の手紙の送付証拠図。
【図７６】2012年05月31日エヌテイテイドコモ本社宛の手紙の送付証拠図。
【図７７】2012年05月31日日本テレビ本社宛の手紙の送付証拠図。
【図７８】2012年日本テレビ放送ホールデングへ特許権番号の公開依頼を、した証拠図。
【図７９】2012年エヌテイテイドコモ本社宛に特許権番号の公開依頼を、した証拠図。
【図８０】2012年エヌテイテイドコモ本社からの返信回答証拠説明文書図。
【図８１】2012年エヌテイテイドコモ本社からの返信回答証拠説明文書図。
【図８２】2012年エヌテイテイドコモ本社からの返信回答証拠説明文書図。
【図８３】2013年01月01日循環水トイレの著作権構造説明図。
【図８４】2013年01月01日トイレの洗浄方法の著作権説明図。
【図８５】2013年01月02日サモーカメラセンサーの著作権説明図。2011年8月24日pm19時36分少しだけ書く千葉県の墫野和夫で有る。
【発明を実施するための形態】
【０１１２】
以下、本発明の実施の形態を、図1〜図40に基づいて説明する。
【０１１３】
図1と図2においては、リニアーモーターカーの万が一の衝突事故の衝突度を、少なくする為の対策として、1の第1クッションの18の鉛アルミニウム合金板に成り、金属差し込み溶着技術を、使い、2の第２クッションの13の鉛銅合金板の金属差し込み装置の溶着に成り、3の第三クッションの、14の鉛鉄薄板の金属差し込み溶着技術に成り、20の穴空きジュラルミン板の取り付けに成り、20の穴空きジュラルミン金属の蓋材は、木材灰入りグラスファイバーパネルなどが、代わりに取り付けられる車体全体が、前の衝撃を、吸収出来る構造に成って入る。
【０１１４】
そして、図1の5の風切用電動羽装置は、余り少ないカーブリニアー線路に対応した技術に成り、4の衛星GPS位置連絡装置に成り、恐らく海外でも、使用していない技術に成り、山岳ヘリコプターGPSと併用して使われる列車位置確認連絡装置に成り、列車内の19の無害無休油連続作動燃料電池(別名高出力水発電機)の電源で全自動作動する装置。
【０１１５】
そして、図1の6の超高速スクリュー風圧の当たる場所は、今後、リニアー複線技術の構築の際使用される世界最新技術に成る。
【０１１６】
図1の11の片面壁リニアーモーターカーW走行高出力レールモーター装置と10の下方向リニアーモーターカー浮上及び走行切り替え装置は、9の高出力インバータ電磁石位置通過確認装置のインバータセンサーも兼ねていて、電源は、19の無害無休油連続作動燃料電池(別名高出力水発電機)の電源で全自動インプット作動する装置。
【０１１７】
この他、図1の12のリニアーデーター連絡装置は、リニアーモーターカー内の電力システム19の無害無休油連続作動燃料電池(別名高出力水発電機)の不具合などの点検及びチェック連絡に成り、15の個人認証ロッカーは、ここでは、手相認証を、使用するが、他では、他技術の指紋認証及び瞳認証及び血管認証などを、使用擦るはずだが、他社技術使用は、本発明のリニアーモーターカーには、存在しないばかりか、書き換えを、余儀なくされる事に成る。
【０１１８】
更に、図1の8の緊急脱出用プロペラは通常取り外しアイテムに成り7の高出力２連結以上モーターは、軽量モーターが積載に成る。
【０１１９】
図の3の説明に入る。
リニアーモーターカー本体先端部の22の三つの両面割れ防止液体プラスチック溶液シート内蔵クリスタル硝子は、風圧衝撃吸収型のクリスタル硝子に成り、27のサイドライトカメラと25のカラーライトライン装置は、列車の万が一の片寄及び揺れ発見の為の装置に成り17の高出力薄板インバータ2連電磁石は、リニアーモーターカーが、二階客席型の為、重量が重い為、スピードが出ない為の、対策デザイン装置に成り、他社では、真似の出来ないデザイン技術。
【０１２０】
そして、図3の、24の高出力モーター電動仕切り弁ドアは、26の後方ドアと同じデザイン構造に成り、水侵入を、防いだ構造に成る。
この他、23のスクリュー風受け場所説明に成る。
【０１２１】
図4のリニアーモーターカーの全面部分の説明に成る。
従って、30の前方サーチライトは、両サイド二か所に設置され近間を、照らすライトシステムに成り、31の前方レンズライトは、遠くを、照らす為のライト装置に成り、特に29の前方カメラは、遠くを、照らすライト装置に成り29のカメラ焦点に全自動で合わせるカメラ装置。
更に、32の第１カラーライトライン列車位置連絡装置に成り、33の第2カラーライトライン列車位置連絡装置に成り、34の第３カラーライトライン列車位置連絡装置によって、列車接近を、知らせる事の出来る装置。
【０１２２】
図5のリニアーモーターカーの全面部分の説明に成る。
リニアーモーターカーの後部の説明として、43のスクリュー風受け回転プロペラによって、スクリュー風を、吸収して38のスクリュー風返しプロペラによって吐き出される装置に成り、45のスクリュー風止め尾装置に成る。
【０１２３】
その他、41の収納型後方推進用プロペラ装置成り、40の後方サーチライトと39の後方カメラと42のレンズライト44の後方望遠カメラ装置に成る。
【０１２４】
図6のリニアーモーターカーの全面部分の説明に成る。
24の高出力モーター電動仕切り弁ドアに対して、外気熱遮断カーテンの47のスクリューエアーカーテンに成り、地方の列車の新型開発車両に積載しても良いか考えたく成る技術。
【０１２５】
この他、50の通路と48の1階男子トイレと49の2階女子トイレ構造に成り、46のレールモーターエレベーター装置に成る。
【０１２６】
図7のリニアーモーターカーの全面部分の説明に成る。
従って、46のレールモーターエレベーターに対して、51の2階エレベーター座席通路に成り、50の通路と54の2階座席と52の2階男子トイレと53の2階女子トイレ位置構造に成って入る。
ちなみに、トイレと客席の間は、スクリューエアーカーテンに成る。
【０１２７】
図8のリニアーモーターカーの全面部分の説明に成る。
従って、複数のスクリューエアー官は、55のスクリュー管を、経て56のスクリューエアー発射口に成る。
この他、57の複数のスクリュー風発射口によって、スクリューエアーが発射され、58のリニアーモーターカー内の温度遮断スクリュー送風受け入れ口に成り、47の
スクリューエアーカーテン構造に成り、高出力コンプレッサーの複数台使用の場合が有り、アルミニウムまたはジュラルミン金属を、使った軽量の高出力コンプレッサー構造に成る。
【０１２８】
図9のリニアーモーターカーの全面部分の説明に成る。
従って、リニアーモーターカーの椅子説明に成り、スプリング空洞シリコンゴム使用の、椅子に成り、59の腰袋ボタンエアー圧調整装置の腰安定装置と60の液体シリコン入りゴム衝撃吸収マットは、衝突時の衝撃吸収装置に成り、61の液体シリコン入り第1エアー袋に対して、第2エアー袋に対して液体シリコン入りに成り、63の第３エアー袋も液体シリコン入りの衝撃吸収マットに成る。
【０１２９】
図10の椅子カバーシートの説明に成る。
椅子シートの場合は、通常薄手の木綿シートに成るが、椅子クッションを、含めた汗吸収シート説明に成る。
従って、69の椅子シート床部分は、70の椅子シート背部分に成り、64の汗吸収シートの67の綿布シートに成り、その下に65のテトロン布シートが有り、更に、67の綿布シート構造に成り、そして66のプラスチックナイロン布シートに成り最後に、68のゴムシート構造の厚手の椅子シートカバーに成る。
【０１３０】
図11のリニアーモーターカーの室内の、72は1階液晶発電パネルに成り、79の一階のドアは、スクリューエアーカーテンドア使用に成り、71の2階液晶発電パネルは、発電ガラス基板装置高出力発電回路がメインの装置に成る。
更に、73の2階トイレドアも、スクリューエアーカーテンに成る。
【０１３１】
図12の78は、前方の客席図に成り、79の1階ドアと2階ドア構造は、47のスクリューエアーカーテンに成り、71の2階液晶発電パネルと72の1階液晶発電パネルに成り、78の、比較客席概略図。
【０１３２】
図13は、外部のリニアー線路の概略図に成り、80は、リニアーモーターカーの線路のコンクリートの両端の上に隙間なく取り付けられるスクリューエアー放射口に成り、83は、サイド高出力インバータ制御レールモーターに成り、84は、水路に成り、雨水を、処理する網付のトラフU字溝装置に成り、グラスファイバー劣化防止U字溝装置に成り著作権の一つの作品に成る。
そして、81は、浮上用走行補助用高出力インバータ電磁石に成り、82は、左側サイド高出力インバータ制御レールモーターに成る。
【０１３３】
図14は、地下リニアーモーターカーホームの緊急ブレーキシステムの概略図で有り、85の緊急ブレーキ用貯水タンクは、随時水は、満タンに入っており、86のスクリュー管放水管から、大量の水を、5秒〜7秒でプール満タンにしなければ成らない複数の高出力電動モーター仕切り弁付の86のスクリュー管放水管から一度に放水して、プールを、数秒で水を、満タンに出来る装置。
そして、88のリニアーモーターカーの走行路のプール線路底には、排水溝の複数の高出力モーター電動仕切り弁付の複数の排水溝が有り、
【０１３４】
図15は、地下リニアーモーターカー線路の、89のコンクリート劣化防止装置は、92のリニアーモーターカートンネルの91の冷却材内蔵のグラスファイバーパネルのコンクリート枠装置に成り、90の、火炎止めアルミニウム亜鉛合金パネルのコンクリート枠に成る。
【０１３５】
図16は、94の風雨雪防御装置は、リニアーモーター線路の両左右のコンクリートの端上部分に取り付けた80の、スクリューエアーの発射口は、リニアーモーターカーの両サイドコンクリートの上から、少し中央向きに対岸のスクリューエアーと交差する角度に調整して95の、スクリューエアー連続発射口に成り、93の駅ホーム外気遮断複数スクリューエアー発射口に成る。
【０１３６】
図17は、リニアーモーターカーの地下駅ホームの人のリニアー線路の人の転落防止装置に成る。
従って、リニアーモーターカー駅ホームの人の転落防止装置は、99のホームドア柱に、98の高出力レールモーター上下全自動開閉ホームドアに対して、97の、透明グラスファイバーパネルを、使用積載して、100の、超薄型テレビ画像パネル内蔵グラスファイバーパネルドアに成り、99のホームドア柱の上部分には、96の列車接近距離告知燈に成る。
【０１３７】
図18は、リニアーモーターカーの地下ホーム待合室の椅子周辺装置の説明に成る。
従って、リニアーモーターカーの地下待合室の禁煙室は、103の、外気遮断スクリューエアーカーテンホーム椅子装置は、煙を、外に逃がさない装置に成り、床から、天上に向かって、煙の送風と上部天上から、たばこの煙の強制吸引を、行なう装置が有り、ステンレス性の通気管に成り、全自動掃除ロボットによって通気管内の全自動掃除を、執り行う事の出来るシステム。
この他、椅子は、104の、圧電素子磁気バイブレーター装置と101の、温度調整枕によって、待ち時間の快適時間を、過ごせる装置。
更に。106のホーム椅子固定装置に成り、105の全自動掃除型灰皿に成り、椅子のサイド横から、102の冷暖房風吹き出し口によって、温度管理が行われて入る。
【０１３８】
図19は、リニアーモーターカー駅周辺とリニアーモーターカー内に設置予定の、ペットボトルの洗浄粉末自動回収装置は、107の、ペットボトル入れ口から、投入されたペットボトルは、109の高出力モーターカッターによって切り刻まれ、110の噴水洗浄用高出力回転モーターによって汚れを、落とし、113の、瞬間気化乾燥機(別名高出力真空装置)によって、瞬間乾燥し、112の、汚れ物質は、112の汚れ物質沈殿場所に保管される構造に成り、108の、ペットボトル粉貯蓄場所に、保管されるシステムに成る。
更に、紐付きの111の運搬用ローラーによって、引き出される構造に成って入る。
【０１３９】
図20は、リニアーモーターカーの室内エレベーターに成り、エレベーターの呼び出しスイッチは、116の高出力液晶タッチパネルに成り、117の、2重被せワイヤにゴムを被せたワイヤを、使った123の、エレベーターワイヤに成り、124の高出力電磁誘導発電装置は、118の、高出力内コイルモーターと、120の、高出力レールモーター使用の、122の、W制御モーターブレーキシステムエレベーター装置は、異なった高出力2連モーターを、使用積載して入るのも特徴の一つに成る。
更に、ニュース事故を、防ぐ為にエレベーター内に、115の、放射線飛散防止レントゲンカメラに成る。
そして、エレベータードアは、高出力電動モーター仕切り弁ドアに成る。
この他、レールモーターエレベーターの特徴の一つとして、レールモーターのエレベーター床は、121の、高出力圧電素子発電用磁石床板装置とエレベーター底の薄ステンレス磁石板の圧電効果発電出来るシステムを、備えた特殊エレベーターに成り、119の、発電電気取り込み配線を、備えた装置に成る。
更に、エレベーター室内は、超小型の114の、超小型のエレベーター用の冷暖房クーラーを、積載内蔵したエレベーター装置。
【０１４０】
図21は、リニアーモーターカー客席の介護客席の椅子システムの紹介に成る。
従って、126の、高周波バイブレーターと127の、高出力低周波バイブレーターの128の、高周波低周波バイブレーター切り替えスイッチによって、高周波バイブレーターと低周波バイブレーターの切り替えを、行なう事の出来る装置に成る。
この他、129の、素足は、130の、スクリュー温水リフレッシュ槽に、125の、濾過温水取り入れ管によって、温水を、取り入れスクリュージェットで、足マッサージを、行ない131の、温水排水管によって、再び、濾過温水として再利用するシステム。
【０１４１】
図22は、リニアーモーターカーの室内の手洗い洗面槽の構造として、アルミニウム一の割合に対してステンレス鉄八の割合に対して、鉛一の割合の合金は、金属的には、比較的ステンレスと同じ硬さに成り、若干錆びづらくした合金洗面器に成り、132の手洗い洗面槽は、134の電動仕切り弁放水口と、136の、濾過システムと
138の、強制排水管と、137の、高出力電動仕切り弁モーターと、135の循環水配管を、使った136の、水濾過システムに成り、高出力真空装置と半活性炭フィルターを使った136の、水濾過システムに成る。
この他、133の、温水スクリューモーター水送水口に成る。
【０１４２】
図23は、(141)のリニアーモーターカーの駅トイレは、137の、高出力電動モーター仕切り弁排水管溝は、臭い上りを、防止擦る為の、人の有無のセンサー確認によって、つまり、カラーライトラインの人の有無確認装置と高出力スクリュー弱無線波センサーに拠っての人の有無の確認によって、137の高出力電動モーター仕切り弁の全自動作動を、促す装置概要に成る。
この他、139の、カラーライト光遮断感知式シャワー手洗い器は、適度温水が、出る構造に成って下り、142の、スイッチ型の駅トイレ床の強制スクリュー温水洗浄装置は、夜間など未使用の時、循環温水を使った全自動洗浄が、行なわれるシステムに成る。
この他、140の、強制スクリュー洗浄水切り替え式型放水口によって便槽内の掃除が行なわれる。
【０１４３】
図24の、リニアーモーターカーの男女兼用のトイレ構造説明に成る。
本発明の、男女兼用トイレの便槽内の大きさを、調整して子供でも、大人でも、使用出来るトイレ構造に成り、144の、高出力モーター式便槽口ボタン調整装置は、
子供のお尻が落ちない広さに、カメラの全自動人の背丈認識装置及び個人情報認識装置によって、便槽口の大きさの全自動認識装置に成る。
更に、145の、脱臭用強制吸引防水フィルターフアン口に成り、トイレ臭を、一挙に高速吸引してくれる装置に成り、146の、防水フィルター全自動洗浄装置に成り、
143の、濾過水送り管によってスクリュー濾過水の送り出しが可能に成り、147の、トイレ固定ボルト穴にボルトを、入れて固定する。
この他、149の、固形排出物スクリューエアー送り出しシステムは、148のトイレ排出物を、真空装置で、瞬間乾燥させた汚物を、149の、固形排出物スクリューエアー送り出しシステムによって、送り出すシステムに成り、150の、高出力アンモニア水遠心分離機装置によって、アンモニアと水を、分離させ、水は、トイレの再利用水に使用する。
アンモニアの濃いアンモニア水は、アンモニアカプセル容器に収納して、リニアーホームで、交換するシステムに成る。
【０１４４】
図25の、154の、浮遊型全自動掃除機は、リニアーモーター地下街の遊歩道の、全自動掃除機の浮上装置として、151の、リニアーモーターカーの駅床は、150のアルミニウム絶縁体ラインと152のインバータスイッチ切り換え型の高出力電磁石と同じ大きさの153のインバータスイッチ切り換え型の高出力電磁石の配列と浮遊掃除機部分の、155の強制スクリューエアー吸引装置と159の超小型発電機は、158の反発型高出力インバータ切り換え電磁石に成り、156の室内地図GPS機能付きの157の強制走行用スクリューエアー排出口の調整によって、残りは、上にスクリュー放出しながら走行速度調整に成るリニアーモーター地下街の遊歩道専用の全自動掃除機。
【０１４５】
図26の、リニアーモーター駅ステイションに積載内蔵の高出力電磁誘導エスカレーター発電装置は、163の、高出力エスカレーターは、162の床の一番したの、衣類投入口に、雨で濡れた羽織着を、入れて、164の、高出力真空装置衣類瞬間乾燥機に入れて1秒〜2秒で乾燥出来る高出力モーター及び2連結以上モーターの超高速回転によって、衣類の瞬間乾燥に挑む。
そして、1秒を、切る早業が、夢の技に成り、165の、エスカレーター式衣類個別移動装置によって、乾燥衣類を、上の階まで、衣類バスケットで、移動して161の衣類受取口によって乾燥衣類を、受け取るシステムに成る。
【０１４６】
図27のドアの無い荷物ロッカーは、168の防犯カメラと、170の、ベルト荷物歩道と169の、カラーライトライン遮断センサー連絡装置と166の、スクリュー電子放電カーテンと172の、スクリュー電子放電カーテン吸引装置は、167の手相確認電子放電カーテン及び鍵を、外す為の手相確認スイッチ遮断装置に成る。
【０１４７】
図28のリニアーモーターカー地下駅に使用積載する176のネジ型エレベーター補助安全装置は、175の、三つのビル鋼鉄エレベーター柱に対して、ネジ型エレベーターが、移動する際、エレベーター自身に高出力水発電機などが積載され、174の、エレベーター内回転制御レールモーター上下二か所に取り付き外側を、回転させる別の高出力レールモーターが上下一つずつ取りつくエレベーターに成り、173の、エレベーターの緊急命綱代わりのエレベーターワイヤ装置に成り、上下移動手段に使用しないワイヤに成る。
【０１４８】
図29の、地下遊歩道の構造説明として、179の地下商店街の出入りは、178のエアーカーテンドアに成り、177の複数のスクリューエアー発射口と181のスクリューエアー吸引口を、設けた外気熱遮断装置に成る。
この他、地下遊歩道全体の壁伝いに走るスクリューエアーカーテンバリアなどは、地下遊歩道の水滴付着防止装置に成る。
この他、180の、循環水放水口によって、軽水素酸素水は、182の地下雨水貯水タンクの水を、高出力水中ポンプモーターで汲み上げた水を、二センチメートルの正方形真角のコンクリート溝床に、軽水素酸素水を、流し184の、打ち水循環水取り入れ口に成り、軽水素酸素水イオン水を、夏冬浴びる事の出来る地下遊歩道に成り、夏は、冷水イオン冬は、温水イオンに成る特殊イオン歩道。
【０１４９】
図30のリニアーモーター駅周囲のみ使用する186の、室内地図付のGPS送受信アンテナ付の190の、新2連振り子型機械式発電機積載の、113の高出力モーター
を、積載内蔵した地図及び作業及び目的地インプット音声認識型の、超小型の荷物運搬車に成り、リモコン移動も可能に成る超小型の荷車に成り、前後左右上下のライトカメラによって、インプット全自動及び半全自動走行を、可能にした荷車に成り、方向変換時は、188の、高出力方向切り替え型のレールモーター積載の荷車は、185の、手相認識システム全自動作動システムに成り、置き引きの防犯対策として、191の、高出力モーター巻き取りワイヤ網装置に成り、192の、外周ワイヤだけを、巻き取る事によって、荷物固定に成り、ワイヤの掛け金具付の荷車装置に成る。
【０１５０】
図31の200の地下動物乗馬施設は、196の、地上の自然公園まで続く斜路付の178の、スクリューエアーカーテン付の動物遊歩道は、194の動物円形プールと動物寝室へ196の。動物遊歩道は、繋がって入る施設に成り、177の、スクリューエアー放出口と、181のスクリューエアー吸引口の有る178のエアースクリューカーテンは、ネズミ等の侵入防止対策として、スクリューエアースピードを、最高速にするなどの対策が出来る装置に成り、200の地下動物乗馬施設は、201の、床防水コンクリート構造に成り、195の、循環水放水口によって、197の超微小ゴム粒子砂と198の、超微粒子ビニール粒子砂と198の、超微小シリコン粒子砂は、温水撹拌気によって、洗浄され、浮遊物を、先に、バキューム吸引して、乾燥させて再び戻す全自動作業装置と洗浄水は、再び浄化するか、自然公園の植樹の全自動給水用の水として再利用される事に成る。
【０１５１】
図32の。206の、地下水耕栽培園は、リニアーモーターカーの地下水耕施設に成り、出入り口は、177の、エアー放出口と、181のスクリューエアー吸引口を、設けた178のスクリューエアーカーテンに成り、植物に必要な203の、地下街二酸化炭素放出口によって、206の、地下水耕栽培園の二酸化炭素は、賄われる。
更に、204の、地下温度とライト光の調整装置によって、温度と光管理を、賄える。
この他、水耕栽培に必要な肥料の大半は。205の乾燥粉末生ゴミ肥料によって賄える。
【０１５２】
図33の、リニアーモーターカーの地下駅地上の状態を、図にした説明書に成り、地上部分は、213の、塩化プラスチックボックス内蔵コンクリート網ボックスの上に網シートなどの、土盛りシートを敷き207の土を、深く5メートル位敷いた所に木々を植えた208の公園を、作り、209の風防止ゴム付ワイヤで、木々を、固定した公園を、作り、野草園などを楽しめる人工公園等に成り、211の、地下エレベーターのみの出入り口と210の、緊急避難傾斜道が有る212の地下10階に続く214の地下駐車場と215の地下商店街と216の地下マンションと217の地下リニアー駅などが、地下に建ち並ぶ地下都市の公開説明に成る。
【０１５３】
図34の、219の、矢板は、218の、錆び止め塗装を、厚塗りした上にグラスファイバー錆び止めパネルを、矢板に被せた装置。
【０１５４】
図35の222の、荷物バスケットレールモーター管内ボタン移動バスケット装置は、120の高出力レールモーターを、四か所取りつけた220の、塩化太ビニール管に成り、221の荷物バスケットバランサー装置を、取りつけた222の、荷物バスケットレールモーター管内ボタン移動バスケット装置。
【０１５５】
図36の、地下水再処理再利用発電システムは、地下貯水槽に対して、225の、高出力2連結以上水中ポンプモーターは、223の、超小型発電機によって、作動して、55のスクリュー管と137の高出力電動モーター仕切り弁装置と226の、高出力水遠心分離機酸素作成装置によって、地下酸素補給を、行なって入る。
この他、地下貯水槽タンクの余分な水は、148の高出力真空装置を使って137の、高出力電動モーター仕切り弁と55の、スクリュー管4と137の高出力電動モーター仕切り弁を、介して224の地上タンクまで、水移動出来る装置に成る。
【０１５６】
図37の229の、絵文字バーコードは、227の、絵文字と228の旧バーコードと色彩の異なる229の、絵文字バーコード装置に成る。
【０１５７】
図38の 230の高出力銅筒管配線は、230の高出力銅筒管配線と232の固形窒素粒子配線に、231の軽水素トリチウム電子ガス入り圧電素子磁石体粒子配線を被せた配線を、230の高出力銅筒管配線の中に入れた230の高出力銅筒管配線に成る。
【０１５８】
図39の238の高出力人工合成磁石体は、233の軽水素トリチウム電子入り圧電素子磁石体シートパネルＡと234の軽水素トリチウム電子入りチタン酸バリウム複数針穴空きシートパネルＢを、236のＡパネルＢパネルを交互に貼りつける事によって、235の、超薄型複数穴空きステンレスシートパネルに対して、237の超薄型複数穴空きステンレスシートパネルを被せる技術説明。
【０１５９】
図40の、241の高出力電磁誘導発電装置に対して、238の高出力人工合成磁石体に対して、239の高出力人工合成磁石体に銅筒官コイル配線を巻く技術によって、240の高出力電磁石が出来上がる。
【産業上の利用可能性】
【０１６０】
本発明の、高出力銅筒管コイル配線は、あらゆるコイルを、使ったモーターに積載使用擦る事によって、電気抵抗ゼロの電気の流れを、得たモーターが出来る為、あらゆるモーターを、使用積載した家電製品及び自動車及び船及び飛行機及び建設機械及び全自動ロボット及び医療器具及び介護器具及び遊戯器具などの、全てのモーターの電気消費を、少なく出来る事が、明白にした世界初の技術説明。2012年12月31日am9時45分の追加書きに成る。
【０１６１】
第二の産業上の利用可能性技術として、高出力電磁石板と高出力銅筒管コイル板を、使ったモーター別名の高出力モーターは、あらゆるモーターの電磁石コイル板全体部分の装置技術に成り、モーター配線とコイル配線と電磁石板と永久磁石体と最後に、アルミニウム絶縁体を、揃った事によって、インバータ装置などを、付け加えるとあらゆるモーターの部品が揃った高出力モーター全てが、新技術モーターに成り、世界中のモーター需要の全てを、一括して得る事の出来る世界最新技術の為、
企業利益に換算すると、1000兆円を、超える勢いの利益を、得る事の出来る財産に成る。2012年12月31日am10時34分の追加書きに成る。
【０１６２】
第三の産業上の利用可能性技術として、スクリューエアーカーテンは、外気温遮断と風雨雪遮断が出来る高出力コンプレッサーの複数軽量歯車と高出力モーターと固形窒素パネル外周防護タンク使用の高出力コンプレッサーを、複数使用した公園ベンチの椅子の風よけ及び雨除け及び雪よけ技術装置に成る。
この他、ビル屋上農園の、風除け及び雨除け及び雪除け及び霜除け装置に成り、今後将来の注目装置に成る。
更に、学校の野外グランドの風除け及び雨除け及び雪除け及び霜除け装置に成り、今後将来の注目装置に成る。
この他、学校登下校歩道の横断歩道を、含む通学路に使用可能に成る。
そして、公園施設等の、風除け及び雨除け及び雪除け及び霜除け装置に成り、今後将来の注目装置に成る。
その他、商店街の、風除け及び雨除け及び雪除け及び霜除け装置に成り、今後将来の注目装置に成る。
個人的使用として、ホテルの出入り口の、風除け及び雨除け及び雪除け及び霜除け装置に成り、今後将来の注目装置に成る。
小型農園の、風除け及び雨除け及び雪除け及び霜除け装置に成り、今後将来の注目装置に成る。
個人宅の、洗濯物の干場所の、風除け及び雨除け及び雪除け及び霜除け装置に成り、今後将来の注目装置に成る。
マンションのガレージの、風除け及び雨除け及び雪除け及び霜除け装置に成り、今後将来の注目装置に成る。2013年1月1日pm16時10分追加書きに成る。
【０１６３】
第四の産業上の利用可能性技術として、高出力真空装置を、使った瞬間乾燥機の用途使用として、木材の瞬間乾燥装置及び衣類の瞬間乾燥装置(数秒単位〜10秒程度の瞬間乾燥時間)に成り、海水からの塩取り出しは、一度熱湯消毒してから、高出力真空装置によって、瞬間乾燥する為、安い塩が大量に入手出来る技術に成り、真水の作り方として、川の水を、高出力真空装置と半活性炭フィルターによって、真水を、大量に作れる技術その他、澱粉粕予備鶏糞及びヘドロ及び堆肥等の瞬間乾燥装置。
この他、海産物の内蔵の残りなどを、瞬間に乾燥させて、堆肥及び家畜の乾燥食品に擦る事業技術及び、生ゴミの瞬間乾燥技術に対しての、高出力真空装置を、使った事業及び、この他、乾燥野菜及び乾燥魚介類の瞬間乾燥技術などの高出力真空装置を、使った事業。
【０１６４】
この他、駅トイレの新しい公衆トイレの有り方として、個人個人の尿採取の成分全自動検査トイレと個人個人の排便の成分全自動検査を、行なう時代に此の頃は、弱者一人一人の財団管理の公衆トイレ全自動検査などが、ウルトラスーパーコンピューターを、使った全自動検査によって、どちらも高出力ライト電子カメラを、使用した技術に成り、将来の保護医療の一環の弱者国民一人一人のサービス事業に成る。
【０１６５】
個人情報認識装置は、超小型充電池及び自動電池内蔵の、圧電素子磁石体粒子磁気シート内蔵の超小型近距離弱無線装置の呼び出しロックオン設定式の、個人情報の送受信装置と高出力発電回路の器械を、内蔵した超小型の個人情報収録装置に成り、国の機関及び都道府県市町村区の機関で、主に使用され、商店街の買い物等にも、使用出来るアンテナ送受信カードの改良型に成る。2013年1月０３日pm23時00分ここまで書き終える。
【符号の説明】
【０１６６】
1      第一クッション
2      第二クッション
3      第三クッション
4      衛星位置ＧＰＳ
5      風切用電動羽
6      超高速スクリュー風圧の当たる場所
7      高出力二連結以上モーター
8      緊急用脱出用プロペラ
9      高出力インバータ電磁石位置通過確認装置
10     下方向リニアーモーター浮上及び走行切り変え装置
11     両面壁リニアーモーターカーＷ走行高出力レールモーター
12     リニアーデーター連絡装置
13     鉛銅合金床板
14     鉛鉄合金床板
15     個人認証ロッカー
16     穴あき銅アルミニウム合金床板
17     高出力インバータ制御電磁石
18     鉛アルミニウム合金パネル
19     無害無給油連続作動燃料電池
20     穴空きジュラルミン枠板部分
21     穴空き鉄枠板部分
22     両面割れ防止液体プラスチック溶液シート
23     スクリュー風受け場所
24     高出力モーター電動仕切り弁
25     カラーライトライン装置
26     後部扉
27     サイドカメラ
28     風切用電動羽
29     前方カメラ
30     前方サーチライト
31     前方レンズライト
32     左第一カラーライトライン列車位置連絡装置
33     左第二カラーライトライン列車位置連絡装置
34     左第三カラーライトライン列車位置連絡装置
35     右第一カラーライトライン列車位置連絡装置
36     右第二カラーライトライン列車位置連絡装置
37     右第三カラーライトライン列車位置連絡装置
38     スクリュー風返し回転プロペラ
39     後方カメラ
40     後方サーチライト
41     収納型後方プロペラ
42     後方レンズライト
43     スクリュー風の風受け回転プロペラ
44     後方望遠カメラ
45     スクリュー風止め尾
46     二階エレベーター部分レールモーターエレベーター
47     スクリューエアーカーテン
48     一階男子トイレ
49     二階女子トイレ
50     通路
51     二階エレベーター座席通路
52     二階男子トイレ
53     二階女子トイレ
54     二階座席
55     スクリュー官
56     スクリューエアー発射口
57     スクリュー送風発射口
58     リニアーモーターカー内温度遮断スクリュー送風受け入れ口
59     腰エアー袋ボタンエアー圧調整装置
60     液体シリコン入りゴム衝撃吸収マット
61     第一エアー袋
62     第二エアー袋
63     第三エアー袋
64     汗吸収シート
65     テトロン布装置
66     プラスチック布シート
67     綿布シート
68     ゴムシート
69     椅子シート床部分
70     椅子シート背部分
71     二階液晶発電パネル
72     一階液晶発電パネル
73     二階トイレドア
74     二階液晶発電パネル
75     一階トイレドア
76     一階液晶発電パネル
77     二階ドア
78     比較客席概略図
79     一階ドア
80     スクリューエアー放射口  
81     浮上用走行補助用高出力インバータ電磁石
82     左側サイド高出力インバータ制御レールモーター
83     右側サイド高出力インバータ制御レールモーター
84     水路
85     緊急ブレーキ用貯水層
86     スクリュー官放水官
87     電動モーター仕切り弁
2011年8月24日pm22時25分寝る時間なので眠る千葉県の墫野和夫で有る。
2011年8月27日pm18時48分寝るまで、少し書く千葉県の墫野和夫ニャンカンキチ木白子で有る。
88     リニアーモーターカー走行路
2011年8月28日am8時14分休日の為、少しだけ書き始める千葉県の墫野和夫で有る。
89     コンクリート劣化防止装置
90     火炎止めアルミニウム鉄合金パネル
91     冷却材内蔵グラスファイバーパネル
92     リニアーモーターカートンネル
93     駅ホーム外気遮断複数スクリューエアー発射口
94     雨風雪防御装置
95     スクリューエアー連射発射口
96     列車接近距離告知燈  
97     透明グラスファイバーパネル
98     高出力レールモーター上下全自動開閉ホームドア
99     ホームドア柱
100    超薄型テレビ画像パネル内蔵グラスファイバーパネルドア
101    温度調整枕
102    冷暖房風吹き出し口
103    外気遮断スクリューエアーカーテンホーム椅子
104    圧電素子磁気バイブレーター
105    全自動掃除型灰皿
106    ホーム椅子の固定足
107    ペットボトル入れ口
108    ペットボトル粉貯蓄場所
109    高出力モーターカッター
110    噴水洗浄用高出力回転モーター
111    運搬用ローラー
112    汚れ物質沈殿場所
113    瞬間気化高出力真空装置乾燥機   
114    超小型エレベーター用冷暖房クーラー装置
115    放射線飛散防止レントゲンカメラ
116    高出力液晶タッチパネル
117    二連被せワイヤ
118    高出力内コイルモーター 
119    発電電気取り込み配線
120    高出力レールモーター
121    高出力圧電素子発電用磁石床板
122    Ｗ制御高出力モーターブレーキシステムエレベーター
123    エレベーターワイヤ
124    高出力電磁誘導発電装置
125    濾過温水取り入れ官
126    高周波バイブレーター
127    低周波バイブレーター
128    高周波低周波バイブレーター切り替えスイッチ
129    素足
130    スクリュー温水リフレッシュ槽
131    温水排水官
132    手洗い洗面槽   
133    温水スクリューモーター水送水口
134    電動仕切り弁放水口
135    循環水配管
136    濾過システム
137    高出力電動仕切り弁
138    強制排水官
139    カラーライトライン光遮断感知式シャワー手洗い機
140    強制スクリュー洗浄水切り替え式型放水口装置
141    リニアーモーターカートイレ
142    スイッチ型駅トイレ床強制スクリュー温水洗浄装置
143    濾過水送り官
144    高出力モーター式便槽口ボタン調整装置(木製及びプラスチック製の便槽口調整装置)
145    脱臭用強制吸引防水フィルターフアン口
146    防水フィルター全自動シャワー洗浄装置
147    トイレ固定ボルト穴
148    高出力真空装置
149    固形排泄物スクリューエアー送り出しシステム
150    高出力アンモニア水遠心分離機装置
151    リニアーモーターカー駅床
152    インバータスイッチ切り替え型高出力電磁石Ａ
153    インバータスイッチ切り替え型高出力電磁石Ｂ
154    浮遊型全自動掃除機
155    強制スクリューエアー吸引装置
156    室内ＧＰＳ
157    強制走行用スクリューエアー排出口
158    反発型高出力インバータ切り替え電磁石
159    超小型発電機
160    アルミニウム絶縁体ライン
161    衣類受け取り口
162    エレベーター床
163    高出力エスカレーター
164    高出力真空装置衣類瞬間乾燥機
165    エスカレーター式衣類個別移動装置
166    スクリュー電子放電カーテン
167    手相確認スイッチ遮断装置
168    防犯カメラ
169    カラーライトライン光遮断センサースイッチ連絡装置
170    ベルト荷物歩道
171    ドアの無い荷物ロッカー
172    スクリュー電子放電カーテン吸引装置
173    エレベーターワイヤ
174    エレベーター内回転制御レールモーター装置
175    ビル鋼鉄エレベーター柱
176    ネジ型エレベーター補助安全装置
177    スクリューエアー発射口
178    エアーカーテンドア
179    地下商店街地下リサイクルショッピング街
180    循環水放水口
181    スクリューエアー吸引口
182    地下雨水貯蓄タンク
183    一センチメートル堀溝水路の舗装型及びコンクリート型
184    打ち流し水循環水取り入れ口
185    手相確認システム全自動作動装置
186    室内ＧＰＳアンテナ
187    前ライトカメラ
188    高出力方向切り替え型レールモーター
189    後方ライトカメラ
190    新2連振り子型機械式発電機
191    高出力モーター巻き取りワイヤ網
192    外側ワイヤだけ巻き取る
193    高出力モーター
194    動物プール
195    循環水放水口
196    動物遊歩道
197    超微小ゴム粒子砂
198    超微小ビニール粒子砂
199    超微粒子シリコン粒子砂
200    地下動物乗り場施設
201    床防水コンクリート
202    洗浄水吸引口
203    地下街二酸化炭素水放出口
204    地下温度調整ライン光装置
205    乾燥生ごみ肥料放出口
206    地下水耕栽培園
207    土
208    公園
209    風防止ワイヤ
210    緊急避難斜道 
211    リニアーモーターカー乗り入れ口
212    地下10階施設
213    塩化プラスチックボックス内蔵コンクリート網ボックス
214    地下駐車場
215    地下商店街
216    地下マンション
217    地下リニアー駅
218    グラスファイバー錆止めパネル
219    矢板
220    塩化ビニール太官 
221    荷物バスケットバランサー装置
222    荷物バスケットレールモーター官内ボタン移動バスケット
223    超小型発電機
224    地上タンク
225    高出力2連結以上水中ポンプモーター
226    高出力水遠心分離機酸素作成装置
227    絵文字
228    旧バーコードの色彩が異なる技術
229    絵文字バーコード
230    銅筒官コイル配線
231    軽水素トリチウム電子入り圧電素子磁石体粒子配線
232    固形窒素粒子(冷却材)
233    軽水素トリチウム電子入り圧電素子磁石体シートパネルＡ 
234    軽水素トリチウム電子入りチタン酸バリウム複数針穴空きシートパネルＢ
235    超薄型複数穴空きステンレスシートパネル
236    ＡパネルＢパネルを交互に貼りつける
237    超薄型複数穴空きステンレスシートパネルを被せる
238    高出力人工合成磁石体
239    高出力人工合成磁石体に銅筒官コイル配線を巻く
240    高出力電磁石
241    高出力電磁誘導発電装置
コメント
2011年8月28日pm19時8分北海道知事宛てにリニアーモーターカー図面40図の符号付きを、出して来る千葉県の墫野和夫で有る。
【図１】
2013094057.tif 000003
【図２】
2013094057.tif 000004
【図３】
2013094057.tif 000005
【図４】
2013094057.tif 000006
【図５】
2013094057.tif 000007
【図６】
2013094057.tif 000008
【図７】
2013094057.tif 000009
【図８】
2013094057.tif 000010
【図９】
2013094057.tif 000011
【図１０】
2013094057.tif 000012
【図１１】
2013094057.tif 000013
【図１２】
2013094057.tif 000014
【図１３】
2013094057.tif 000015
【図１４】
2013094057.tif 000016
【図１５】
2013094057.tif 000017
【図１６】
2013094057.tif 000018
【図１７】
2013094057.tif 000019
【図１８】
2013094057.tif 000020
【図１９】
2013094057.tif 000021
【図２０】
2013094057.tif 000022
【図２１】
2013094057.tif 000023
【図２２】
2013094057.tif 000024
【図２３】
2013094057.tif 000025
【図２４】
2013094057.tif 000026
【図２５】
2013094057.tif 000027
【図２６】
2013094057.tif 000028
【図２７】
2013094057.tif 000029
【図２８】
2013094057.tif 000030
【図２９】
2013094057.tif 000031
【図３０】
2013094057.tif 000032
【図３１】
2013094057.tif 000033
【図３２】
2013094057.tif 000034
【図３３】
2013094057.tif 000035
【図３４】
2013094057.tif 000036
【図３５】
2013094057.tif 000037
【図３６】
2013094057.tif 000038
【図３７】
2013094057.tif 000039
【図３８】
2013094057.tif 000040
【図３９】
2013094057.tif 000041
【図４０】
2013094057.tif 000042
【図４１】
2013094057.tif 000043
【図４２】
2013094057.tif 000044
【図４３】
2013094057.tif 000045
【図４４】
2013094057.tif 000046
【図４５】
2013094057.tif 000047
【図４６】
2013094057.tif 000048
【図４７】
2013094057.tif 000049
【図４８】
2013094057.tif 000050
【図４９】
2013094057.tif 000051
【図５０】
2013094057.tif 000052
【図５１】
2013094057.tif 000053
【図５２】
2013094057.tif 000054
【図５３】
2013094057.tif 000055
【図５４】
2013094057.tif 000056
【図５５】
2013094057.tif 000057
【図５６】
2013094057.tif 000058
【図５７】
2013094057.tif 000059
【図５８】
2013094057.tif 000060
【図５９】
2013094057.tif 000061
【図６０】
2013094057.tif 000062
【図６１】
2013094057.tif 000063
【図６２】
2013094057.tif 000064
【図６３】
2013094057.tif 000065
【図６４】
2013094057.tif 000066
【図６５】
2013094057.tif 000067
【図６６】
2013094057.tif 000068
【図６７】
2013094057.tif 000069
【図６８】
2013094057.tif 000070
【図６９】
2013094057.tif 000071
【図７０】
2013094057.tif 000072
【図７１】
2013094057.tif 000073
【図７２】
2013094057.tif 000074
【図７３】
2013094057.tif 000075
【図７４】
2013094057.tif 000076
【図７５】
2013094057.tif 000077
【図７６】
2013094057.tif 000078
【図７７】
2013094057.tif 000079
【図７８】
2013094057.tif 000080
【図７９】
2013094057.tif 000081
【図８０】
2013094057.tif 000082
【図８１】
2013094057.tif 000083
【図８２】
2013094057.tif 000084
【図８３】
2013094057.tif 000085
【図８４】
2013094057.tif 000086
【図８５】
2013094057.tif 000087